(57)【要約】  本願の実施例は、上り制御情報の伝送方法、装置及びコンピュータ記憶媒体を開示する。前記方法は、端末が物理上り共有チャネル（ＰＵＳＣＨ）のタイプ及び／又は上り制御情報のタイプに基づいて、対応する第１ＰＵＳＣＨ構成パラメータを選択することと、前記端末が前記第１ＰＵＳＣＨ構成パラメータに基づいて上り制御情報を伝送することと、を含み、異なるＰＵＳＣＨ構成パラメータは、異なるタイプのＰＵＳＣＨ及び／又は異なるタイプの上り制御情報に対応する。
2021532693.tif 000002
【特許請求の範囲】
【請求項１】
端末が物理上り共有チャネル（ＰＵＳＣＨ）のタイプ及び／又は上り制御情報のタイプに基づいて、対応する第１ＰＵＳＣＨ構成パラメータを選択することと、
前記端末が前記第１ＰＵＳＣＨ構成パラメータに基づいて上り制御情報を伝送することと、を含み、
異なるＰＵＳＣＨ構成パラメータは、異なるタイプのＰＵＳＣＨ及び／又は異なるタイプの上り制御情報に対応する、上り制御情報の伝送方法。
【請求項２】
前記端末が、ネットワーク装置により構成された少なくとも１組のＰＵＳＣＨ構成パラメータを受信すること、又は、
事前予約された方式で前記端末のために少なくとも１組のＰＵＳＣＨ構成パラメータを構成すること、を更に含むことを特徴とする
請求項１に記載の方法。
【請求項３】
前記端末が、前記ネットワーク装置により構成された少なくとも１組のＰＵＳＣＨ構成パラメータを受信することは、
前記端末が、前記ネットワーク装置により上位層シグナリングを介して構成された少なくとも１組のＰＵＳＣＨ構成パラメータを受信することを含むことを特徴とする
請求項２に記載の方法。
【請求項４】
前記ＰＵＳＣＨのタイプは、
ＰＵＳＣＨによって搬送されるデータが、異なるサービスタイプ又は異なるサービスタイプグループに属すること、
ＰＵＳＣＨによって搬送されるデータが、異なるサービス優先度又は異なるサービス優先度グループに属すること、
ＰＵＳＣＨによって搬送されるデータが、異なる論理チャネル又は異なる論理チャネルグループに属すること、
ＰＵＳＣＨのスケジューリングのための下り制御情報が、異なる物理層下り制御情報フォーマット（ＤＣＩ  ｆｏｒｍａｔ）又は異なるＤＣＩ  ｆｏｒｍａｔグループに属すること、
ＰＵＳＣＨのスケジューリングのための物理層下り制御情報をスクランブリングするための無線ネットワーク一時識別子（ＲＮＴＩ）が、異なるＲＮＴＩであるか又は異なるＲＮＴＩグループに属すること、
ＰＵＳＣＨのスケジューリングのための下り制御情報によって搬送される情報が異なることのうちの１つを含むことを特徴とする
請求項１から３のうちいずれか一項に記載の方法。
【請求項５】
前記上り制御情報のタイプは、少なくとも１つの物理下り共有チャネル（ＰＤＳＣＨ）のタイプに対応することを特徴とする
請求項１から３のうちいずれか一項に記載の方法。
【請求項６】
前記ＰＤＳＣＨのタイプは、
ＰＤＳＣＨによって搬送されるデータが、異なるサービスタイプ又は異なるサービスタイプグループに属すること、
ＰＤＳＣＨによって搬送されるデータが、異なるサービス優先度又は異なるサービス優先度グループに属すること、
ＰＤＳＣＨによって搬送されるデータが、異なる論理チャネル又は異なる論理チャネルグループに属すること、
ＰＤＳＣＨのスケジューリングのための下り制御情報が、異なるＤＣＩ  ｆｏｒｍａｔ又は異なるＤＣＩ  ｆｏｒｍａｔグループに属すること、
ＰＤＳＣＨのスケジューリングのための物理層下り制御情報をスクランブリングするためのＲＮＴＩが、異なるＲＮＴＩであるか又は異なるＲＮＴＩグループに属すること、
ＰＤＳＣＨのスケジューリングのための下り制御情報によって搬送される情報が異なることのうちの１つを含むことを特徴とする
請求項５に記載の方法。
【請求項７】
前記上り制御情報の種類は、ハイブリッド自動再送要求の確認応答／否定応答（ＨＡＲＱ−ＡＣＫ／ＮＡＣＫ）、第１部分チャネル状態情報（ＣＳＩ  ｐａｒｔ  １）及び第２部分チャネル状態情報（ＣＳＩ  ｐａｒｔ  ２）を含むことを特徴とする
請求項１から３のうちいずれか一項に記載の方法。
【請求項８】
前記少なくとも１組のＰＵＳＣＨ構成パラメータは、
異なるタイプのＰＵＳＣＨ及び／又は異なるタイプの上り制御情報に対応する状態パラメータを含む第１組の構成パラメータであって、前記状態パラメータは、第１タイプのＰＵＳＣＨで第１タイプの上り制御情報を伝送することを許容するかどうかを表す、第１組の構成パラメータと、
異なるタイプのＰＵＳＣＨ及び／又は異なるタイプの上り制御情報に対応するスケーリング（ｓｃａｌｉｎｇ）パラメータを含む第２組の構成パラメータであって、前記ｓｃａｌｉｎｇパラメータは、第１タイプのＰＵＳＣＨにおいて第１タイプの上り制御情報のために割り当てられる最大リソース要素ＲＥ数を制限するためのものである、第２組の構成パラメータと、
異なるタイプのＰＵＳＣＨ及び／又は異なるタイプの上り制御情報に対応するベータオフセットパラメータを含む第３組の構成パラメータであって、前記ベータオフセットパラメータは、第１タイプのＰＵＳＣＨによって搬送されるデータに対する第１タイプの上り制御情報のベータオフセットを指示するものである、第３組の構成パラメータと、
異なるタイプのＰＵＳＣＨで伝送され得る上り制御情報の種類及び／又はペイロードサイズを含む第４組の構成パラメータと、のうちの少なくとも１つを含み、
前記第１タイプのＰＵＳＣＨは、ＰＵＳＣＨのタイプのうちのいずれか１つのタイプであり、前記第１タイプの上り制御情報は、上り制御情報のタイプのうちのいずれか１つのタイプであることを特徴とする
請求項２又は３に記載の方法。
【請求項９】
前記第１ＰＵＳＣＨ構成パラメータが前記第１組の構成パラメータにおける構成パラメータである場合、前記第１ＰＵＳＣＨ構成パラメータに基づいて、上り制御情報を伝送することは、
前記端末が、前記第１ＰＵＳＣＨ構成パラメータにおける状態パラメータに基づいて、対応するタイプのＰＵＳＣＨで対応するタイプの上り制御情報を伝送するか又は対応するタイプのＰＵＳＣＨで対応するタイプの上り制御情報を伝送しないことを含むことを特徴とする
請求項８に記載の方法。
【請求項１０】
ＰＵＳＣＨで伝送され得る第１タイプの上り制御情報の種類は、ＨＡＲＱ−ＡＣＫ／ＮＡＣＫ、ＣＳＩ  ｐａｒｔ  １、ＣＳＩ  ｐａｒｔ  ２のうちの０種又は少なくとも１種を含み、
前記第１タイプの上り制御情報は、上り制御情報のタイプのうちのいずれか１つのタイプであることを特徴とする
請求項８に記載の方法。
【請求項１１】
異なるタイプのＰＵＳＣＨで伝送され得る第１タイプの上り制御情報集合に含まれる上り制御情報の種類は異なることを特徴とする
請求項１０に記載の方法。
【請求項１２】
異なるタイプのＰＵＳＣＨで伝送され得る第１タイプの上り制御情報の各種のペイロードサイズは異なり、
前記第１タイプの上り制御情報は、上り制御情報のタイプのうちのいずれか１つのタイプであることを特徴とする
請求項８に記載の方法。
【請求項１３】
半静的方式でベータオフセットを決定する場合、前記ベータオフセットパラメータに含まれる各指示パラメータはいずれも、ＰＵＳＣＨタイプ及び／又は上り制御情報タイプに対応する複数種のベータオフセットを含み、
前記ベータオフセットパラメータに含まれる指示パラメータは、２ビット以下のＨＡＲＱ−ＡＣＫのベータオフセット、２ビットより大きくて１１ビット以下のＨＡＲＱ−ＡＣＫのベータオフセット、１１ビットより大きいＨＡＲＱ−ＡＣＫのベータオフセット、１１ビット以下のＣＳＩ  ｐａｒｔ  １／ＣＳＩ  ｐａｒｔ  ２のベータオフセット及び１１ビットより大きいＣＳＩ  ｐａｒｔ  １／ＣＳＩ  ｐａｒｔ  ２のベータオフセットを含むことを特徴とする
請求項８に記載の方法。
【請求項１４】
動的方式でベータオフセットを決定する場合、前記第１組の構成パラメータにより構成される動的ベータオフセットパラメータは、ＰＵＳＣＨタイプ及び／又は上り制御情報タイプに対応する複数種のベータオフセットを含むことを特徴とする
請求項８に記載の方法。
【請求項１５】
ネットワーク装置が端末のために少なくとも１組の物理上り共有チャネル（ＰＵＳＣＨ）構成パラメータを構成することであって、異なるＰＵＳＣＨ構成パラメータは、異なるタイプのＰＵＳＣＨ及び／又は異なるタイプの上り制御情報に対応する、ことと、
前記ネットワーク装置が前記端末に前記少なくとも１組のＰＵＳＣＨ構成パラメータを送信することと、を含む、上り制御情報の伝送方法。
【請求項１６】
前記ネットワーク装置が前記端末に前記少なくとも１組のＰＵＳＣＨ構成パラメータを送信することは、
前記ネットワーク装置が上位層シグナリングを介して前記端末に前記少なくとも１組のＰＵＳＣＨ構成パラメータを送信することを含むことを特徴とする
請求項１５に記載の方法。
【請求項１７】
前記ＰＵＳＣＨのタイプは、
ＰＵＳＣＨによって搬送されるデータが、異なるサービスタイプ又は異なるサービスタイプグループに属すること、
ＰＵＳＣＨによって搬送されるデータが、異なるサービス優先度又は異なるサービス優先度グループに属すること、
ＰＵＳＣＨによって搬送されるデータが、異なる論理チャネル又は異なる論理チャネルグループに属すること、
ＰＵＳＣＨのスケジューリングのための下り制御情報が、異なる物理層下り制御情報フォーマット（ＤＣＩ  ｆｏｒｍａｔ）又は異なるＤＣＩ  ｆｏｒｍａｔグループに属すること、
ＰＵＳＣＨのスケジューリングのための物理層下り制御情報をスクランブリングするための無線ネットワーク一時識別子（ＲＮＴＩ）が、異なるＲＮＴＩであるか又は異なるＲＮＴＩグループに属すること、
ＰＵＳＣＨのスケジューリングのための下り制御情報によって搬送される情報が異なることのうちの１つを含むことを特徴とする
請求項１５又は１６に記載の方法。
【請求項１８】
前記上り制御情報のタイプは、少なくとも１つの物理下り共有チャネル（ＰＤＳＣＨ）のタイプに対応することを特徴とする
請求項１５又は１６に記載の方法。
【請求項１９】
前記ＰＤＳＣＨのタイプは、
ＰＤＳＣＨによって搬送されるデータが、異なるサービスタイプ又は異なるサービスタイプグループに属すること、
ＰＤＳＣＨによって搬送されるデータが、異なるサービス優先度又は異なるサービス優先度グループに属すること、
ＰＤＳＣＨによって搬送されるデータが、異なる論理チャネル又は異なる論理チャネルグループに属すること、
ＰＤＳＣＨのスケジューリングのための下り制御情報が、異なるＤＣＩ  ｆｏｒｍａｔ又は異なるＤＣＩ  ｆｏｒｍａｔグループに属すること、
ＰＤＳＣＨのスケジューリングのための物理層下り制御情報をスクランブリングするためのＲＮＴＩが、異なるＲＮＴＩであるか又は異なるＲＮＴＩグループに属すること、
ＰＤＳＣＨのスケジューリングのための下り制御情報によって搬送される情報が異なることのうちの１つを含むことを特徴とする
請求項１８に記載の方法。
【請求項２０】
前記上り制御情報の種類は、ハイブリッド自動再送要求の確認応答／否定応答（ＨＡＲＱ−ＡＣＫ／ＮＡＣＫ）、第１部分チャネル状態情報（ＣＳＩ  ｐａｒｔ  １）及び第２部分チャネル状態情報（ＣＳＩ  ｐａｒｔ  ２）を含むことを特徴とする
請求項１５又は１６に記載の方法。
【請求項２１】
前記少なくとも１組のＰＵＳＣＨ構成パラメータは、
異なるタイプのＰＵＳＣＨ及び／又は異なるタイプの上り制御情報に対応する状態パラメータを含む第１組の構成パラメータであって、前記状態パラメータは、第１タイプのＰＵＳＣＨで第１タイプの上り制御情報を伝送することを許容するかどうかを表す、第１組の構成パラメータと、
異なるタイプのＰＵＳＣＨ及び／又は異なるタイプの上り制御情報に対応するスケーリング（ｓｃａｌｉｎｇ）パラメータを含む第２組の構成パラメータであって、前記ｓｃａｌｉｎｇパラメータは、第１タイプのＰＵＳＣＨにおいて第１タイプの上り制御情報のために割り当てられる最大リソース要素ＲＥ数を制限するためのものである、第２組の構成パラメータと、
異なるタイプのＰＵＳＣＨ及び／又は異なるタイプの上り制御情報に対応するベータオフセットパラメータを含む第３組の構成パラメータであって、前記ベータオフセットパラメータは、第１タイプのＰＵＳＣＨによって搬送されるデータに対する第１タイプの上り制御情報のベータオフセットを指示するものである、第３組の構成パラメータと、
異なるタイプのＰＵＳＣＨで伝送され得る上り制御情報の種類及び／又はペイロードサイズを含む第４組の構成パラメータと、のうちの少なくとも１つを含み、
前記第１タイプのＰＵＳＣＨは、ＰＵＳＣＨのタイプのうちのいずれか１つのタイプであり、前記第１タイプの上り制御情報は、上り制御情報のタイプのうちのいずれか１つのタイプであることを特徴とする
請求項１５又は１６に記載の方法。
【請求項２２】
ＰＵＳＣＨで伝送され得る第１タイプの上り制御情報の種類は、ＨＡＲＱ−ＡＣＫ／ＮＡＣＫ、ＣＳＩ  ｐａｒｔ  １、ＣＳＩ  ｐａｒｔ  ２のうちの０種又は少なくとも１種を含み、
前記第１タイプの上り制御情報は、上り制御情報のタイプのうちのいずれか１つのタイプであることを特徴とする
請求項２１に記載の方法。
【請求項２３】
異なるタイプのＰＵＳＣＨで伝送され得る第１タイプの上り制御情報集合に含まれる上り制御情報の種類は異なることを特徴とする
請求項２２に記載の方法。
【請求項２４】
異なるタイプのＰＵＳＣＨで伝送され得る第１タイプの上り制御情報の各種のペイロードサイズは異なり、
前記第１タイプの上り制御情報は、上り制御情報のタイプのうちのいずれか１つのタイプであることを特徴とする
請求項２１に記載の方法。
【請求項２５】
半静的方式でベータオフセットを決定する場合、前記ベータオフセットパラメータに含まれる各指示パラメータはいずれも、ＰＵＳＣＨタイプ及び／又は上り制御情報タイプに対応する複数種のベータオフセットを含み、
前記ベータオフセットパラメータに含まれる指示パラメータは、２ビット以下のＨＡＲＱ−ＡＣＫのベータオフセット、２ビットより大きくて１１ビット以下のＨＡＲＱ−ＡＣＫのベータオフセット、１１ビットより大きいＨＡＲＱ−ＡＣＫのベータオフセット、１１ビット以下のＣＳＩ  ｐａｒｔ  １／ＣＳＩ  ｐａｒｔ  ２のベータオフセット及び１１ビットより大きいＣＳＩ  ｐａｒｔ  １／ＣＳＩ  ｐａｒｔ  ２のベータオフセットを含むことを特徴とする
請求項２１に記載の方法。
【請求項２６】
動的方式でベータオフセットを決定する場合、前記第１組の構成パラメータにより構成される動的ベータオフセットパラメータは、ＰＵＳＣＨタイプ及び／又は上り制御情報タイプに対応する複数種のベータオフセットを含むことを特徴とする
請求項２１に記載の方法。
【請求項２７】
物理上り共有チャネル（ＰＵＳＣＨ）のタイプ及び／又は上り制御情報のタイプに基づいて、対応する第１ＰＵＳＣＨ構成パラメータを選択するように構成される選択ユニットであって、異なるＰＵＳＣＨ構成パラメータは、異なるタイプのＰＵＳＣＨ及び／又は異なるタイプの上り制御情報に対応する、選択ユニットと、
前記第１ＰＵＳＣＨ構成パラメータに基づいて上り制御情報を伝送するように構成される伝送ユニットと、備える、端末。
【請求項２８】
前記伝送ユニットは、前記ネットワーク装置により構成された少なくとも１組のＰＵＳＣＨ構成パラメータを受信するように構成され、
又は、前記端末は、事前予約された方式で前記端末のために少なくとも１組のＰＵＳＣＨ構成パラメータを構成するように構成される第１構成ユニットを更に備えることを特徴とする
請求項２７に記載の端末。
【請求項２９】
前記伝送ユニットは、前記ネットワーク装置により上位層シグナリングを介して構成された少なくとも１組のＰＵＳＣＨ構成パラメータを受信するように構成されることを特徴とする
請求項２８に記載の端末。
【請求項３０】
前記ＰＵＳＣＨのタイプは、
ＰＵＳＣＨによって搬送されるデータが、異なるサービスタイプ又は異なるサービスタイプグループに属すること、
ＰＵＳＣＨによって搬送されるデータが、異なるサービス優先度又は異なるサービス優先度グループに属すること、
ＰＵＳＣＨによって搬送されるデータが、異なる論理チャネル又は異なる論理チャネルグループに属すること、
ＰＵＳＣＨのスケジューリングのための下り制御情報が、異なる物理層下り制御情報フォーマット（ＤＣＩ  ｆｏｒｍａｔ）又は異なるＤＣＩ  ｆｏｒｍａｔグループに属すること、
ＰＵＳＣＨのスケジューリングのための物理層下り制御情報をスクランブリングするための無線ネットワーク一時識別子（ＲＮＴＩ）が、異なるＲＮＴＩであるか又は異なるＲＮＴＩグループに属すること、
ＰＵＳＣＨのスケジューリングのための下り制御情報によって搬送される情報が異なることのうちの１つを含むことを特徴とする
請求項２７から２９のうちいずれか一項に記載の端末。
【請求項３１】
前記上り制御情報のタイプは、少なくとも１つの物理下り共有チャネル（ＰＤＳＣＨ）のタイプに対応することを特徴とする
請求項２７から２９のうちいずれか一項に記載の端末。
【請求項３２】
前記ＰＤＳＣＨのタイプは、
ＰＤＳＣＨによって搬送されるデータが、異なるサービスタイプ又は異なるサービスタイプグループに属すること、
ＰＤＳＣＨによって搬送されるデータが、異なるサービス優先度又は異なるサービス優先度グループに属すること、
ＰＤＳＣＨによって搬送されるデータが、異なる論理チャネル又は異なる論理チャネルグループに属すること、
ＰＤＳＣＨのスケジューリングのための下り制御情報が、異なるＤＣＩ  ｆｏｒｍａｔ又は異なるＤＣＩ  ｆｏｒｍａｔグループに属すること、
ＰＤＳＣＨのスケジューリングのための物理層下り制御情報をスクランブリングするためのＲＮＴＩが、異なるＲＮＴＩであるか又は異なるＲＮＴＩグループに属すること、
ＰＤＳＣＨのスケジューリングのための下り制御情報によって搬送される情報が異なることのうちの１つを含むことを特徴とする
請求項３１に記載の端末。
【請求項３３】
前記上り制御情報の種類は、ハイブリッド自動再送要求の確認応答／否定応答（ＨＡＲＱ−ＡＣＫ／ＮＡＣＫ）、第１部分チャネル状態情報（ＣＳＩ  ｐａｒｔ  １）及び第２部分チャネル状態情報（ＣＳＩ  ｐａｒｔ  ２）を含むことを特徴とする
請求項２７から２９のうちいずれか一項に記載の端末。
【請求項３４】
前記少なくとも１組のＰＵＳＣＨ構成パラメータは、
異なるタイプのＰＵＳＣＨ及び／又は異なるタイプの上り制御情報に対応する状態パラメータを含む第１組の構成パラメータであって、前記状態パラメータは、第１タイプのＰＵＳＣＨで第１タイプの上り制御情報を伝送することを許容するかどうかを表す、第１組の構成パラメータと、
異なるタイプのＰＵＳＣＨ及び／又は異なるタイプの上り制御情報に対応するスケーリング（ｓｃａｌｉｎｇ）パラメータを含む第２組の構成パラメータであって、前記ｓｃａｌｉｎｇパラメータは、第１タイプのＰＵＳＣＨにおいて第１タイプの上り制御情報のために割り当てられる最大リソース要素ＲＥ数を制限するためのものである、第２組の構成パラメータと、
異なるタイプのＰＵＳＣＨ及び／又は異なるタイプの上り制御情報に対応するベータオフセットパラメータを含む第３組の構成パラメータであって、前記ベータオフセットパラメータは、第１タイプのＰＵＳＣＨによって搬送されるデータに対する第１タイプの上り制御情報のベータオフセットを指示するものである、第３組の構成パラメータと、
異なるタイプのＰＵＳＣＨで伝送され得る上り制御情報の種類及び／又はペイロードサイズを含む第４組の構成パラメータと、のうちの少なくとも１つを含み、
前記第１タイプのＰＵＳＣＨは、ＰＵＳＣＨのタイプのうちのいずれか１つのタイプであり、前記第１タイプの上り制御情報は、上り制御情報のタイプのうちのいずれか１つのタイプであることを特徴とする
請求項２７から２９のうちのいずれか一項に記載の端末。
【請求項３５】
前記伝送ユニットは、前記第１ＰＵＳＣＨ構成パラメータが前記第１組の構成パラメータにおける構成パラメータである場合、前記第１ＰＵＳＣＨ構成パラメータにおける状態パラメータに基づいて、対応するタイプのＰＵＳＣＨで対応するタイプの上り制御情報を伝送するか又は対応するタイプのＰＵＳＣＨで対応するタイプの上り制御情報を伝送しないように構成されることを特徴とする
請求項３４に記載の端末。
【請求項３６】
ＰＵＳＣＨで伝送され得る第１タイプの上り制御情報の種類は、ＨＡＲＱ−ＡＣＫ／ＮＡＣＫ、ＣＳＩ  ｐａｒｔ  １、ＣＳＩ  ｐａｒｔ  ２のうちの０種又は少なくとも１種を含み、前記第１タイプの上り制御情報は、上り制御情報のタイプのうちのいずれか１つのタイプであることを特徴とする
請求項３４に記載の端末。
【請求項３７】
異なるタイプのＰＵＳＣＨで伝送され得る第１タイプの上り制御情報集合に含まれる上り制御情報の種類は異なることを特徴とする
請求項３６に記載の端末。
【請求項３８】
異なるタイプのＰＵＳＣＨで伝送され得る第１タイプの上り制御情報の各種のペイロードサイズは異なり、前記第１タイプの上り制御情報は、上り制御情報のタイプのうちのいずれか１つのタイプであることを特徴とする
請求項３４に記載の端末。
【請求項３９】
半静的方式でベータオフセットを決定する場合、前記ベータオフセットパラメータに含まれる各指示パラメータはいずれも、ＰＵＳＣＨタイプ及び／又は上り制御情報タイプに対応する複数種のベータオフセットを含み、
前記ベータオフセットパラメータに含まれる指示パラメータは、２ビット以下のＨＡＲＱ−ＡＣＫのベータオフセット、２ビットより大きくて１１ビット以下のＨＡＲＱ−ＡＣＫのベータオフセット、１１ビットより大きいＨＡＲＱ−ＡＣＫのベータオフセット、１１ビット以下のＣＳＩ  ｐａｒｔ  １／ＣＳＩ  ｐａｒｔ  ２のベータオフセット及び１１ビットより大きいＣＳＩ  ｐａｒｔ  １／ＣＳＩ  ｐａｒｔ  ２のベータオフセットを含むことを特徴とする
請求項３４に記載の端末。
【請求項４０】
動的方式でベータオフセットを決定する場合、前記第１組の構成パラメータにより構成される動的ベータオフセットパラメータは、ＰＵＳＣＨタイプ及び／又は上り制御情報タイプに対応する複数種のベータオフセットを含むことを特徴とする
請求項３４に記載の端末。
【請求項４１】
端末のために少なくとも１組の物理上り共有チャネル（ＰＵＳＣＨ）構成パラメータを構成するように構成される第２構成ユニットであって、異なるＰＵＳＣＨ構成パラメータは、異なるタイプのＰＵＳＣＨ及び／又は異なるタイプの上り制御情報に対応する、第２構成ユニットと、
前記端末に前記少なくとも１組のＰＵＳＣＨ構成パラメータを送信するように構成される送信ユニットと、を備える、ネットワーク装置。
【請求項４２】
前記送信ユニットは、上位層シグナリングを介して前記端末に前記少なくとも１組のＰＵＳＣＨ構成パラメータを送信するように構成されることを特徴とする
請求項４１に記載のネットワーク装置。
【請求項４３】
前記ＰＵＳＣＨのタイプは、
ＰＵＳＣＨによって搬送されるデータが、異なるサービスタイプ又は異なるサービスタイプグループに属すること、
ＰＵＳＣＨによって搬送されるデータが、異なるサービス優先度又は異なるサービス優先度グループに属すること、
ＰＵＳＣＨによって搬送されるデータが、異なる論理チャネル又は異なる論理チャネルグループに属すること、
ＰＵＳＣＨのスケジューリングのための下り制御情報が、異なる物理層下り制御情報フォーマット（ＤＣＩ  ｆｏｒｍａｔ）又は異なるＤＣＩ  ｆｏｒｍａｔグループに属すること、
ＰＵＳＣＨのスケジューリングのための物理層下り制御情報をスクランブリングするための無線ネットワーク一時識別子（ＲＮＴＩ）が、異なるＲＮＴＩであるか又は異なるＲＮＴＩグループに属すること、
ＰＵＳＣＨのスケジューリングのための下り制御情報によって搬送される情報が異なることのうちの１つを含むことを特徴とする
請求項４１又は４２に記載のネットワーク装置。
【請求項４４】
前記上り制御情報のタイプは、少なくとも１つの物理下り共有チャネル（ＰＤＳＣＨ）のタイプに対応することを特徴とする
請求項４１又は４２に記載のネットワーク装置。
【請求項４５】
前記ＰＤＳＣＨのタイプは、
ＰＤＳＣＨによって搬送されるデータが、異なるサービスタイプ又は異なるサービスタイプグループに属すること、
ＰＤＳＣＨによって搬送されるデータが、異なるサービス優先度又は異なるサービス優先度グループに属すること、
ＰＤＳＣＨによって搬送されるデータが、異なる論理チャネル又は異なる論理チャネルグループに属すること、
ＰＤＳＣＨのスケジューリングのための下り制御情報が、異なるＤＣＩ  ｆｏｒｍａｔ又は異なるＤＣＩ  ｆｏｒｍａｔグループに属すること、
ＰＤＳＣＨのスケジューリングのための物理層下り制御情報をスクランブリングするためのＲＮＴＩが、異なるＲＮＴＩであるか又は異なるＲＮＴＩグループに属すること、
ＰＤＳＣＨのスケジューリングのための下り制御情報によって搬送される情報が異なることのうちの１つを含むことを特徴とする
請求項４４に記載のネットワーク装置。
【請求項４６】
前記上り制御情報の種類は、ハイブリッド自動再送要求の確認応答／否定応答（ＨＡＲＱ−ＡＣＫ／ＮＡＣＫ）、第１部分チャネル状態情報（ＣＳＩ  ｐａｒｔ  １）及び第２部分チャネル状態情報（ＣＳＩ  ｐａｒｔ  ２）を含むことを特徴とする
請求項４１又は４２に記載のネットワーク装置。
【請求項４７】
前記少なくとも１組のＰＵＳＣＨ構成パラメータは、
異なるタイプのＰＵＳＣＨ及び／又は異なるタイプの上り制御情報に対応する状態パラメータを含む第１組の構成パラメータであって、前記状態パラメータは、第１タイプのＰＵＳＣＨで第１タイプの上り制御情報を伝送することを許容するかどうかを表す、第１組の構成パラメータと、
異なるタイプのＰＵＳＣＨ及び／又は異なるタイプの上り制御情報に対応するスケーリング（ｓｃａｌｉｎｇ）パラメータを含む第２組の構成パラメータであって、前記ｓｃａｌｉｎｇパラメータは、第１タイプのＰＵＳＣＨにおいて第１タイプの上り制御情報のために割り当てられる最大リソース要素ＲＥ数を制限するためのものである、第２組の構成パラメータと、
異なるタイプのＰＵＳＣＨ及び／又は異なるタイプの上り制御情報に対応するベータオフセットパラメータを含む第３組の構成パラメータであって、前記ベータオフセットパラメータは、第１タイプのＰＵＳＣＨによって搬送されるデータに対する第１タイプの上り制御情報のベータオフセットを指示するものである、第３組の構成パラメータと、
異なるタイプのＰＵＳＣＨで伝送され得る上り制御情報の種類及び／又はペイロードサイズを含む第４組の構成パラメータと、のうちの少なくとも１つを含み、
前記第１タイプのＰＵＳＣＨは、ＰＵＳＣＨのタイプのうちのいずれか１つのタイプであり、前記第１タイプの上り制御情報は、上り制御情報のタイプのうちのいずれか１つのタイプであることを特徴とする
請求項４１又は４２に記載のネットワーク装置。
【請求項４８】
ＰＵＳＣＨで伝送され得る第１タイプの上り制御情報の種類は、ＨＡＲＱ−ＡＣＫ／ＮＡＣＫ、ＣＳＩ  ｐａｒｔ  １、ＣＳＩ  ｐａｒｔ  ２のうちの０種又は少なくとも１種を含み、前記第１タイプの上り制御情報は、上り制御情報のタイプのうちのいずれか１つのタイプであることを特徴とする
請求項４７に記載のネットワーク装置。
【請求項４９】
異なるタイプのＰＵＳＣＨで伝送され得る第１タイプの上り制御情報集合に含まれる上り制御情報の種類は異なることを特徴とする
請求項４８に記載のネットワーク装置。
【請求項５０】
異なるタイプのＰＵＳＣＨで伝送され得る第１タイプの上り制御情報の各種のペイロードサイズは異なり、前記第１タイプの上り制御情報は、上り制御情報のタイプのうちのいずれか１つのタイプであることを特徴とする
請求項４７に記載のネットワーク装置。
【請求項５１】
半静的方式でベータオフセットを決定する場合、前記ベータオフセットパラメータに含まれる各指示パラメータはいずれも、ＰＵＳＣＨタイプ及び／又は上り制御情報タイプに対応する複数種のベータオフセットを含み、
前記ベータオフセットパラメータに含まれる指示パラメータは、２ビット以下のＨＡＲＱ−ＡＣＫのベータオフセット、２ビットより大きくて１１ビット以下のＨＡＲＱ−ＡＣＫのベータオフセット、１１ビットより大きいＨＡＲＱ−ＡＣＫのベータオフセット、１１ビット以下のＣＳＩ  ｐａｒｔ  １／ＣＳＩ  ｐａｒｔ  ２のベータオフセット及び１１ビットより大きいＣＳＩ  ｐａｒｔ  １／ＣＳＩ  ｐａｒｔ  ２のベータオフセットを含むことを特徴とする
請求項４７に記載のネットワーク装置。
【請求項５２】
動的方式でベータオフセットを決定する場合、前記第１組の構成パラメータにより構成される動的ベータオフセットパラメータは、ＰＵＳＣＨタイプ及び／又は上り制御情報タイプに対応する複数種のベータオフセットを含むことを特徴とする
請求項４７に記載のネットワーク装置。
【請求項５３】
プロセッサにより実行されるときに、前記プロセッサに請求項１から１４のうちいずれか一項に記載の方法のステップを実行させ、又は、プロセッサにより実行されるときに、前記プロセッサに請求項１５から２６のうちいずれか一項に記載の方法のステップを実行させるためのコンピュータプログラムを記憶した、コンピュータ可読記憶媒体。
【請求項５４】
メモリ、プロセッサ、及びメモリに記憶され、プロセッサで実行可能なコンピュータプログラムを含む端末であって、前記プロセッサは、前記コンピュータプログラムを実行するときに、請求項１から１４のうちいずれか一項に記載の方法のステップを実施するように構成される、前記端末。
【請求項５５】
メモリ、プロセッサ、及びメモリに記憶され、プロセッサで実行可能なコンピュータプログラムを含むネットワーク装置であって、前記プロセッサは、前記コンピュータプログラムを実行するときに、請求項１５から２６のうちいずれか一項に記載の方法のステップを実施するように構成される、前記ネットワーク装置。
【発明の詳細な説明】
【技術分野】
【０００１】
（関連出願の相互参照）
本願は、２０１８年８月６日に提出された出願番号２０１８１０８８６２１２．２の中国特許出願に基づく優先権を主張し、該中国特許出願の全内容が参照として本願に組み込まれる。
【０００２】
本願は、無線通信技術に関し、具体的には上り制御情報の伝送方法、装置及びコンピュータ記憶媒体に関する。
【背景技術】
【０００３】
上り制御情報（ＵＣＩ：Ｕｐｌｉｎｋ  Ｃｏｎｔｒｏｌ  Ｉｎｆｏｒｍａｔｉｏｎ）ｐｉｇｇｙｂａｃｋは、物理上り共有チャネル（ＰＵＳＣＨ：Ｐｈｙｓｉｃａｌ  Ｕｐｌｉｎｋ  Ｓｈａｒｅｄ  Ｃｈａｎｎｅｌ）でＵＣＩを伝送する方法である。ＵＣＩを伝送するＰＵＣＣＨリソースとデータを伝送するＰＵＳＣＨリソースがオーバーラップ（ｏｖｅｒｌａｐ）しており、且つ処理時間要件を満たす場合、ＵＣＩは、ＰＵＳＣＨで伝送され得る。
【０００４】
現在、超高信頼性超低遅延通信（ＵＲＬＬＣ：Ｕｌｔｒａ  Ｒｅｌｉａｂｌｅ  Ｌｏｗ  Ｌａｔｅｎｃｙ  Ｃｏｍｍｕｎｉｃａｔｉｏｎ）サービス及び拡張モバイルブロードバンド（ｅＭＢＢ，Ｅｎｈａｎｃｅ  Ｍｏｂｉｌｅ  Ｂｒｏａｄｂａｎｄ）サービスを伝送するＰＵＳＣＨについて、ＵＣＩ  ｐｉｇｇｙｂａｃｋのルールは同じであるが、ＵＲＬＬＣサービスの信頼性要件は、ｅＭＢＢサービスと異なる。一般的には、ＵＲＬＬＣサービスの信頼性要件は、より高い。従って、現在のＵＣＩ伝送方式は、種々のサービス需要を満たすことができない。
【発明の概要】
【発明が解決しようとする課題】
【０００５】
従来の技術的課題を解決するために、本願の実施例は、上り制御情報の伝送方法、装置及びコンピュータ記憶媒体を提供する。
【課題を解決するための手段】
【０００６】
上記目的を達成するために、本発明の実施例の技術的解決手段は、以下のように実現される。
【０００７】
本願の実施例は、上り制御情報の伝送方法を提供する。前記方法は、
端末がＰＵＳＣＨのタイプ及び／又は上り制御情報のタイプに基づいて、対応する第１ＰＵＳＣＨ構成パラメータを選択することと、前記端末が前記第１ＰＵＳＣＨ構成パラメータに基づいて上り制御情報を伝送することと、を含み、
異なるＰＵＳＣＨ構成パラメータは、異なるタイプのＰＵＳＣＨ及び／又は異なるタイプの上り制御情報に対応する。
【０００８】
本願の実施例は、端末を更に提供する。前記端末は、メモリと、プロセッサと、メモリに記憶され、プロセッサで実行可能なコンピュータプログラムと、を含み、前記プロセッサは、前記コンピュータプログラムを実行するときに、本願の実施例に記載の方法のステップを実現する。
【０００９】
本願の実施例は、上り制御情報の伝送方法を更に提供する。前記方法は、ネットワーク装置が端末のために少なくとも１組のＰＵＳＣＨ構成パラメータを構成することであって、異なるＰＵＳＣＨ構成パラメータは、異なるタイプのＰＵＳＣＨ及び／又は異なるタイプの上り制御情報に対応する、ことと、前記ネットワーク装置が前記端末に前記少なくとも１組のＰＵＳＣＨ構成パラメータを送信することと、を含む。
【００１０】
本願の実施例は、ネットワーク装置を更に提供する。前記ネットワーク装置は、メモリと、プロセッサと、メモリに記憶され、プロセッサで実行可能なコンピュータプログラムと、を含み、前記プロセッサは、前記コンピュータプログラムを実行するときに、本願の実施例に記載の方法のステップを実現する。
【００１１】
本願の実施例は、端末を更に提供する。前記端末は、選択ユニットと、伝送ユニットと、を備え、
前記選択ユニットは、ＰＵＳＣＨのタイプ及び／又は上り制御情報のタイプに基づいて、対応する第１ＰＵＳＣＨ構成パラメータを選択するように構成され、異なるＰＵＳＣＨ構成パラメータは、異なるタイプのＰＵＳＣＨ及び／又は異なるタイプの上り制御情報に対応し、
前記伝送ユニットは、前記第１ＰＵＳＣＨ構成パラメータに基づいて上り制御情報を伝送するように構成される。
【００１２】
本願の実施例は、ネットワーク装置を更に提供する。前記ネットワーク装置は、第２構成ユニットと、送信ユニットと、を備え、
前記第２構成ユニットは、端末のために少なくとも１組のＰＵＳＣＨ構成パラメータを構成するように構成され、異なるＰＵＳＣＨ構成パラメータは、異なるタイプのＰＵＳＣＨ及び／又は異なるタイプの上り制御情報に対応し、
前記送信ユニットは、前記端末に前記少なくとも１組のＰＵＳＣＨ構成パラメータを送信するように構成される。
【００１３】
本願の実施例は、コンピュータ可読記憶媒体を更に提供する。前記コンピュータ可読記憶媒体には、コンピュータプログラムが記憶されており、該コンピュータプログラムがプロセッサにより実行されるときに、前記プロセッサに本願の実施例における端末又はネットワーク装置に適用される前記方法のステップを実現させる。
【発明の効果】
【００１４】
本願の実施例は、上り制御情報の伝送方法、装置及びコンピュータ記憶媒体を提供する。前記方法は、端末がＰＵＳＣＨのタイプ及び／又は上り制御情報のタイプに基づいて、対応する第１ＰＵＳＣＨ構成パラメータを選択することと、前記第１ＰＵＳＣＨ構成パラメータに基づいて上り制御情報を伝送することと、を含み、異なるＰＵＳＣＨ構成パラメータは、異なるタイプのＰＵＳＣＨ及び／又は異なるタイプの上り制御情報に対応する。本願の実施例の技術的解決手段によれば、異なるＰＵＳＣＨタイプ及び／又は上り制御情報タイプに対応するＰＵＳＣＨ構成パラメータにより、端末は、ＰＵＳＣＨのタイプ及び／又は上り制御情報のタイプに対応するＰＵＳＣＨ構成パラメータに基づいて、上り制御情報を伝送する。これによって、様々なサービス伝送の信頼性要件に適応することができる。
【図面の簡単な説明】
【００１５】
【図１】本願の実施例による上り制御情報の伝送方法を示すフローチャートである。
【図２】本願の実施例によるもう１つの上り制御情報の伝送方法を示すフローチャートである。
【図３】本願の実施例による端末の構造を示す概略図である。
【図４】本願の実施例による端末のもう１つの構造を示す概略図である。
【図５】本願の実施例によるネットワーク装置の構造を示す概略図である。
【発明を実施するための形態】
【００１６】
以下、図面及び具体的な実施例を参照しながら、更に詳しく説明する。
【００１７】
本願の実施例は、上り制御方法伝送方法を提供する。図１は、本願の実施例による上り制御情報の伝送方法を示すフローチャートである。図１に示すように、前記方法は、以下のステップを含む。
【００１８】
ステップ１０１において、端末がＰＵＳＣＨのタイプ及び／又は上り制御情報のタイプに基づいて、対応する第１ＰＵＳＣＨ構成パラメータを選択し、異なるＰＵＳＣＨ構成パラメータは、異なるタイプのＰＵＳＣＨ及び／又は異なるタイプの上り制御情報に対応する。
ステップ１０２において、前記端末が前記第１ＰＵＳＣＨ構成パラメータに基づいて、上り制御情報を伝送する。
【００１９】
本実施例は、ＵＣＩ  ｐｉｇｇｙｂａｃｋに適用される。つまり、ＵＣＩを伝送するＰＵＣＣＨリソースとデータを伝送するＰＵＳＣＨリソースがオーバーラップ（ｏｖｅｒｌａｐ）しており、且つ処理時間要件を満たす場合、ＵＣＩは、ＰＵＳＣＨで伝送され得る。一例として、ＵＣＩ  ｐｉｇｇｙｂａｃｋは、ＰＵＳＣＨ構成（ＰＵＳＣＨ−Ｃｏｎｆｉｇ）における１つのフィールドｕｃｉ−ＯｎＰＵＳＣＨで具現化される。ｕｃｉ−ＯｎＰＵＳＣＨフィールドは、動的ベータオフセット（ｂｅｔａ−ｏｆｆｓｅｔ）又は半静的ｂｅｔａ−ｏｆｆｓｅｔを選択するためのものである。また、スケーリング（ｓｃａｌｉｎｇ）パラメータを更に含み、該ｓｃａｌｉｎｇパラメータは、ＰＵＳＣＨにおいてＵＣＩのために割り当てられる最大のリソース要素（ＲＥ：Ｒｅｓｏｕｒｃｅ  Ｅｌｅｍｅｎｔ）数を制限するためのものである。ここで、ｂｅｔａ−ｏｆｆｓｅｔは、ＰＵＳＣＨによって搬送されるデータに対するＵＣＩのベータオフセットを表す。ｕｃｉ−ＯｎＰＵＳＣＨフィールドのコード例は、以下に示すとおりである。
【００２０】
【表１】
2021532693.tif 000003
【００２１】
一実施形態として、前記方法は、前記端末が、ネットワーク装置により構成された少なくとも１組のＰＵＳＣＨ構成パラメータを受信すること、又は、事前予約された方式で前記端末のために少なくとも１組のＰＵＳＣＨ構成パラメータを構成すること、を更に含む。
【００２２】
本実施例において、端末は、少なくとも１組のＰＵＳＣＨ構成パラメータを有し、該ＰＵＳＣＨ構成パラメータは、ネットワーク装置により構成されたものであってもよく、事前予約された方式で構成されたものであってもよい。ここで、異なるＰＵＳＣＨ構成パラメータは、異なるタイプのＰＵＳＣＨ及び／又は異なるタイプの上り制御情報に対応する。
【００２３】
一実施形態として、前記端末が、前記ネットワーク装置により構成された複数組のＰＵＳＣＨ構成パラメータを受信することは、前記端末が、前記ネットワーク装置により上位層シグナリングを介して構成された少なくとも１組のＰＵＳＣＨ構成パラメータを受信することを含む。
【００２４】
本実施例において、前記ＰＵＳＣＨのタイプは、ＰＵＳＣＨによって搬送されるデータが、異なるサービスタイプ又は異なるサービスタイプグループに属すること、ＰＵＳＣＨによって搬送されるデータが、異なるサービス優先度又は異なるサービス優先度グループに属すること、ＰＵＳＣＨによって搬送されるデータが、異なる論理チャネル又は異なる論理チャネルグループに属すること、ＰＵＳＣＨのスケジューリングのための下り制御情報が、異なる物理層下り制御情報フォーマット（ＤＣＩ  ｆｏｒｍａｔ）又は異なるＤＣＩ  ｆｏｒｍａｔグループに属すること、ＰＵＳＣＨのスケジューリングのための物理層下り制御情報をスクランブリングするための無線ネットワーク一時識別子（ＲＮＴＩ：Ｒａｄｉｏ  Ｎｅｔｗｏｒｋ  Ｔｅｍｐｏｒｙ  Ｉｄｅｎｔｉｔｙ）が、異なるＲＮＴＩであるか又は異なるＲＮＴＩグループに属すること、ＰＵＳＣＨのスケジューリングのための下り制御情報によって搬送される情報が異なることのうちの１つを含む。
【００２５】
本実施例において、前記上り制御情報のタイプは、少なくとも１つの物理下り共有チャネル（ＰＤＳＣＨ：Ｐｈｙｓｉｃａｌ  Ｄｏｗｎｌｉｎｋ  Ｓｈａｒｅｄ  Ｃｈａｎｎｅｌ）のタイプに対応する。ここで、前記ＰＤＳＣＨのタイプは、ＰＤＳＣＨによって搬送されるデータが、異なるサービスタイプ又は異なるサービスタイプグループに属すること、ＰＤＳＣＨによって搬送されるデータが、異なるサービス優先度又は異なるサービス優先度グループに属すること、ＰＤＳＣＨによって搬送されるデータが、異なる論理チャネル又は異なる論理チャネルグループに属すること、ＰＤＳＣＨのスケジューリングのための下り制御情報（ＤＣＩ：Ｄｏｗｎｌｉｎｋ  Ｃｏｎｔｒｏｌ  Ｉｎｆｏｒｍａｔｉｏｎ）が、異なるＤＣＩ  ｆｏｒｍａｔ又は異なるＤＣＩ  ｆｏｒｍａｔグループに属すること、ＰＤＳＣＨのスケジューリングのための物理層下り制御情報をスクランブリングするためのＲＮＴＩが、異なるＲＮＴＩであるか又は異なるＲＮＴＩグループに属すること、ＰＤＳＣＨのスケジューリングのための下り制御情報によって搬送される情報が異なることのうちの１つを含む。
【００２６】
本実施例において、前記上り制御情報の種類は、ハイブリッド自動再送要求確認応答／否定応答（ＨＡＲＱ−ＡＣＫ／ＮＡＣＫ）、第１部分チャネル状態情報（ＣＳＩ  ｐａｒｔ  １）及び第２部分チャネル状態情報（ＣＳＩ  ｐａｒｔ  ２）を含む。
【００２７】
本実施例において、前記少なくとも１組のＰＵＳＣＨ構成パラメータは、
異なるタイプのＰＵＳＣＨ及び／又は異なるタイプの上り制御情報に対応する状態パラメータを含む第１組の構成パラメータであって、前記状態パラメータは、第１タイプのＰＵＳＣＨで第１タイプの上り制御情報を伝送することを許容するかどうかを表す、第１組の構成パラメータと、
異なるタイプのＰＵＳＣＨ及び／又は異なるタイプの上り制御情報に対応するｓｃａｌｉｎｇパラメータを含む第２組の構成パラメータであって、前記ｓｃａｌｉｎｇパラメータは、第１タイプのＰＵＳＣＨにおいて第１タイプの上り制御情報のために割り当てられる最大のリソース要素（ＲＥ）数を制限するためのものである、第２組の構成パラメータと、
異なるタイプのＰＵＳＣＨ及び／又は異なるタイプの上り制御情報に対応するベータオフセットパラメータを含む第３組の構成パラメータであって、前記ベータオフセットパラメータは、第１タイプのＰＵＳＣＨによって搬送されるデータに対する第１タイプの上り制御情報のベータオフセットを指示するものである、第３組の構成パラメータと、
異なるタイプのＰＵＳＣＨで伝送され得る上り制御情報の種類及び／又はペイロードサイズを含む第４組の構成パラメータと、のうちの少なくとも１つを含み、
前記第１タイプのＰＵＳＣＨは、ＰＵＳＣＨのタイプのうちのいずれか１つのタイプであり、前記第１タイプの上り制御情報は、上り制御情報のタイプのうちのいずれか１つのタイプである。
【００２８】
第１実施形態として、少なくとも１組のＰＵＳＣＨ構成パラメータは、第１組の構成パラメータを含んでもよく、前記第１組の構成パラメータは、ｕｃｉ−ＯｎＰＵＳＣＨであってもよい。例えば、ｕｃｉ−ＯｎＰＵＳＣＨの第１組の構成パラメータに関する記述は、上述を参照することができる。ここで、第１組の構成パラメータに、異なるタイプのＰＵＳＣＨ及び／又は異なるタイプの上り制御情報に対応する状態パラメータが含まれ、前記状態パラメータは、第１タイプのＰＵＳＣＨで第１タイプの上り制御情報を伝送することを許容するかどうかを表す。例えば、状態パラメータは、状態１及び状態２を含む。状態１は、対応するタイプのＰＵＳＣＨで対応するタイプのＵＣＩを伝送することを許容することを表す。状態２は、対応するタイプのＰＵＳＣＨで対応するタイプのＵＣＩを伝送することを許容しないことを表す。
【００２９】
ここで、前記第１ＰＵＳＣＨ構成パラメータが前記第１組の構成パラメータにおける構成パラメータである場合、前記第１ＰＵＳＣＨ構成パラメータに基づいて、上り制御情報を伝送することは、前記端末が、前記第１ＰＵＳＣＨ構成パラメータにおける状態パラメータに基づいて、対応するタイプのＰＵＳＣＨで対応するタイプの上り制御情報を伝送するか又は対応するタイプのＰＵＳＣＨで対応するタイプの上り制御情報を伝送しないことを含む。
【００３０】
第２実施形態として、少なくとも１組のＰＵＳＣＨ構成パラメータは、第２組の構成パラメータを含んでもよく、前記第２組の構成パラメータは、前記ｕｃｉ−ＯｎＰＵＳＣＨパラメータに関する記述におけるｓｃａｌｉｎｇパラメータであってもよい。該パラメータは、第１タイプのＰＵＳＣＨにおいて第１タイプの上り制御情報のために割り当てられる最大ＲＥ値を表す。
【００３１】
第３実施形態として、少なくとも１組のＰＵＳＣＨ構成パラメータは、第３組の構成パラメータを含んでもよく、第３組の構成パラメータは、前記ｕｃｉ−ＯｎＰＵＳＣＨパラメータに関する記述におけるｂｅｔａ−ｏｆｆｓｅｔパラメータであってもよい。該ｂｅｔａ−ｏｆｆｓｅｔパラメータは、１つのタイプのＰＵＳＣＨによって搬送されるデータに対する１つのタイプのＵＣＩのベータオフセットを表すためのものである。ＰＵＳＣＨのスケジューリングのためのＤＣＩに、ｂｅｔａ−ｏｆｆｓｅｔ指示フィールドが含まれないと、上位層によって構成されたｂｅｔａ−ｏｆｆｓｅｔパラメータをＵＣＩのベータオフセット調整に用いることができる。ここで、ｂｅｔａ−ｏｆｆｓｅｔパラメータは、２ビット以下のＨＡＲＱ−ＡＣＫ、２ビットより大きくて１１ビット以下のＨＡＲＱ−ＡＣＫ、１１ビットより大きいＨＡＲＱ−ＡＣＫ、１１ビット以下のＣＳＩ  ｐａｒｔ  １／ＣＳＩ  ｐａｒｔ  ２及び１１ビットより大きいＣＳＩ  ｐａｒｔ  １／ＣＳＩ  ｐａｒｔ  ２というタイプのｂｅｔａ−ｏｆｆｓｅｔに対応する。構成情報のコード例は、以下に示すとおりである。
【００３２】
【表２】
2021532693.tif 000004
【００３３】
一実施形態として、半静的方式でベータオフセットを決定する場合、前記ベータオフセットパラメータに含まれる各指示パラメータはいずれも、ＰＵＳＣＨタイプ及び／又は上り制御情報タイプに対応する複数種のベータオフセットを含む。前記ベータオフセットパラメータに含まれる指示パラメータは、２ビット以下のＨＡＲＱ−ＡＣＫのベータオフセット、２ビットより大きくて１１ビット以下のＨＡＲＱ−ＡＣＫのベータオフセット、１１ビットより大きいＨＡＲＱ−ＡＣＫのベータオフセット、１１ビット以下のＣＳＩ  ｐａｒｔ  １／ＣＳＩ  ｐａｒｔ  ２のベータオフセット及び１１ビットより大きいＣＳＩ  ｐａｒｔ  １／ＣＳＩ  ｐａｒｔ  ２のベータオフセットを含む。ＢｅｔａＯｆｆｓｅｔｓにおける各フィールドｂｅｔａＯｆｆｓｅｔＡＣＫ−Ｉｎｄｅｘ１、ｂｅｔａＯｆｆｓｅｔＡＣＫ−Ｉｎｄｅｘ２、ｂｅｔａＯｆｆｓｅｔＡＣＫ−Ｉｎｄｅｘ３、ｂｅｔａＯｆｆｓｅｔＣＳＩ−Ｐａｒｔ１−Ｉｎｄｅｘ１、ｂｅｔａＯｆｆｓｅｔＣＳＩ−Ｐａｒｔ１−Ｉｎｄｅｘ２、ｂｅｔａＯｆｆｓｅｔＣＳＩ−Ｐａｒｔ２−Ｉｎｄｅｘ１、ｂｅｔａＯｆｆｓｅｔＣＳＩ−Ｐａｒｔ２−  Ｉｎｄｅｘ２は、いずれも、複数セットのパラメータを含み、該複数セットのパラメータはそれぞれ、異なるタイプのＰＵＳＣＨ及び／又は異なるタイプのＵＣＩに対応する。
【００３４】
もう１つの実施形態として、動的方式でベータオフセットを決定する場合、前記第１組の構成パラメータにより構成される動的ベータオフセットパラメータは、ＰＵＳＣＨタイプ及び／又は上り制御情報タイプに対応する複数種のベータオフセットを含む。
【００３５】
第４実施形態として、少なくとも１組のＰＵＳＣＨ構成パラメータは、第４組の構成パラメータを含んでもよく、該第４組の構成パラメータは、異なるタイプのＰＵＳＣＨで伝送され得る上り制御情報の種類及び／又はペイロードサイズを含む。
【００３６】
一実施形態として、ＰＵＳＣＨで伝送され得る第１タイプの上り制御情報の種類は、ＨＡＲＱ−ＡＣＫ／ＮＡＣＫ、ＣＳＩ  ｐａｒｔ  １、ＣＳＩ  ｐａｒｔ  ２のうちの０種又は少なくとも１種を含み、前記第１タイプの上り制御情報は、上り制御情報のタイプのうちのいずれか１つのタイプである。
【００３７】
ここで、異なるタイプのＰＵＳＣＨで伝送され得る第１タイプの上り制御情報集合に含まれる上り制御情報の種類は異なる。
【００３８】
一実施形態として、異なるタイプのＰＵＳＣＨで伝送され得る第１タイプの上り制御情報集合に含まれる上り制御情報の種類は異なる。
【００３９】
一実施形態として、異なるタイプのＰＵＳＣＨで伝送され得る第１タイプの上り制御情報の各種のペイロードサイズは異なり、前記第１タイプの上り制御情報は、上り制御情報のタイプのうちのいずれか１つのタイプである。
【００４０】
本願の実施例の技術的解決手段によれば、異なるＰＵＳＣＨのタイプ及び／又は上り制御情報のタイプに対応する異なるＰＵＳＣＨ構成パラメータにより、特に、異なるサービスタイプ、異なるサービス優先度、異なる論理チャネル、異なるＤＣＩ  ｆｏｒｍａｔ、ＰＵＳＣＨのスケジューリングのための物理層下り制御情報をスクランブリングする異なるＲＮＴＩ、異なる下り制御情報によって搬送される情報に対して、端末は、ＰＵＳＣＨのタイプ及び／又は上り制御情報のタイプに対応するＰＵＳＣＨ構成パラメータに基づいて、上り制御情報を伝送する。従って、異なるサービス伝送の信頼性要件に適応することができる。
【００４１】
本願の実施例は、上り制御情報の伝送方法を更に提供する。図２は、本願の実施例によるもう１つの上り制御情報の伝送方法を示すフローチャートである。図２に示すように、前記方法は、以下を含む。
【００４２】
ステップ２０１において、ネットワーク装置が端末のために少なくとも１組のＰＵＳＣＨ構成パラメータを構成し、異なるＰＵＳＣＨ構成パラメータは、異なるタイプのＰＵＳＣＨ及び／又は異なるタイプの上り制御情報に対応する。
【００４３】
ステップ２０２において、前記ネットワーク装置が前記端末に前記少なくとも１組のＰＵＳＣＨ構成パラメータを送信する。
【００４４】
本実施形態は、ネットワーク装置が端末のために少なくとも１組のＰＵＳＣＨ構成パラメータを構成することで、ＵＣＩを伝送するＰＵＣＣＨリソースとデータを伝送するＰＵＳＣＨリソースがオーバーラップ（ｏｖｅｒｌａｐ）しており、且つ処理時間要件を満たす場合、ＵＣＩをＰＵＳＣＨで伝送できるようになるというシーンに適用可能である。ここで、ネットワーク装置は、基地局又は他のネットワーク要素機器であってもよい。
【００４５】
一実施形態として、前記ネットワーク装置が前記端末に前記少なくとも１組のＰＵＳＣＨ構成パラメータを送信することは、前記ネットワーク装置が上位層シグナリングを介して前記端末に前記少なくとも１組のＰＵＳＣＨ構成パラメータを送信することを含む。
【００４６】
本実施例において、前記ＰＵＳＣＨのタイプは、ＰＵＳＣＨによって搬送されるデータが、異なるサービスタイプ又は異なるサービスタイプグループに属すること、ＰＵＳＣＨによって搬送されるデータが、異なるサービス優先度又は異なるサービス優先度グループに属すること、ＰＵＳＣＨによって搬送されるデータが、異なる論理チャネル又は異なる論理チャネルグループに属すること、ＰＵＳＣＨのスケジューリングのための下り制御情報が、異なる物理層下り制御情報フォーマット（ＤＣＩ  ｆｏｒｍａｔ）又は異なるＤＣＩ  ｆｏｒｍａｔグループに属すること、ＰＵＳＣＨのスケジューリングのための物理層下り制御情報をスクランブリングするためのＲＮＴＩが、異なるＲＮＴＩであるか又は異なるＲＮＴＩグループに属すること、ＰＵＳＣＨのスケジューリングのための下り制御情報によって搬送される情報が異なることのうちの１つを含む。
【００４７】
本実施例において、前記上り制御情報のタイプは、少なくとも１つの物理下り共有チャネル（ＰＤＳＣＨ：Ｐｈｙｓｉｃａｌ  Ｄｏｗｎｌｉｎｋ  Ｓｈａｒｅｄ  Ｃｈａｎｎｅｌ）のタイプに対応する。ここで、前記ＰＤＳＣＨのタイプは、ＰＤＳＣＨによって搬送されるデータが、異なるサービスタイプ又は異なるサービスタイプグループに属すること、ＰＤＳＣＨによって搬送されるデータが、異なるサービス優先度又は異なるサービス優先度グループに属すること、ＰＤＳＣＨによって搬送されるデータが、異なる論理チャネル又は異なる論理チャネルグループに属すること、ＰＤＳＣＨのスケジューリングのための下り制御情報が、異なるＤＣＩ  ｆｏｒｍａｔ又は異なるＤＣＩ  ｆｏｒｍａｔグループに属すること、ＰＤＳＣＨのスケジューリングのための物理層下り制御情報をスクランブリングするためのＲＮＴＩが、異なるＲＮＴＩであるか又は異なるＲＮＴＩグループに属すること、ＰＤＳＣＨのスケジューリングのための下り制御情報によって搬送される情報が異なることのうちの１つを含む。
【００４８】
本実施例において、前記上り制御情報の種類は、ハイブリッド自動再送要求確認応答／否定応答（ＨＡＲＱ−ＡＣＫ／ＮＡＣＫ）、第１部分チャネル状態情報（ＣＳＩ  ｐａｒｔ  １）及び第２部分チャネル状態情報（ＣＳＩ  ｐａｒｔ  ２）を含む。
【００４９】
本実施例において、前記少なくとも１組のＰＵＳＣＨ構成パラメータは、
異なるタイプのＰＵＳＣＨ及び／又は異なるタイプの上り制御情報に対応する状態パラメータを含む第１組の構成パラメータであって、前記状態パラメータは、第１タイプのＰＵＳＣＨで第１タイプの上り制御情報を伝送することを許容するかどうかを表す、第１組の構成パラメータと、
異なるタイプのＰＵＳＣＨ及び／又は異なるタイプの上り制御情報に対応するスケーリング（ｓｃａｌｉｎｇ）パラメータを含む第２組の構成パラメータであって、前記ｓｃａｌｉｎｇパラメータは、第１タイプのＰＵＳＣＨにおいて第１タイプの上り制御情報のために割り当てられる最大ＲＥ数を制限するためのものである、第２組の構成パラメータと、
異なるタイプのＰＵＳＣＨ及び／又は異なるタイプの上り制御情報に対応するベータオフセットパラメータを含む第３組の構成パラメータであって、前記ベータオフセットパラメータは、第１タイプのＰＵＳＣＨによって搬送されるデータに対する第１タイプの上り制御情報のベータオフセットを指示するものである、第３組の構成パラメータと、
異なるタイプのＰＵＳＣＨで伝送され得る上り制御情報の種類及び／又はペイロードサイズを含む第４組の構成パラメータと、のうちの少なくとも１つを含み、
前記第１タイプのＰＵＳＣＨは、ＰＵＳＣＨのタイプのうちのいずれか１つのタイプであり、前記第１タイプの上り制御情報は、上り制御情報のタイプのうちのいずれか１つのタイプである。
【００５０】
第１実施形態として、少なくとも１組のＰＵＳＣＨ構成パラメータは、第１組の構成パラメータを含んでもよく、前記第１組の構成パラメータは、ｕｃｉ−ＯｎＰＵＳＣＨであってもよい。例えば、ｕｃｉ−ＯｎＰＵＳＣＨの第１組の構成パラメータに関する記述は、上述を参照することができる。ここで、第１組の構成パラメータに、異なるタイプのＰＵＳＣＨ及び／又は異なるタイプの上り制御情報に対応する状態パラメータが含まれ、前記状態パラメータは、第１タイプのＰＵＳＣＨで第１タイプの上り制御情報を伝送することを許容するかどうかを表す。例えば、状態パラメータは、状態１及び状態２を含む。状態１は、対応するタイプのＰＵＳＣＨで対応するタイプのＵＣＩを伝送することを許容することを表す。状態２は、対応するタイプのＰＵＳＣＨで対応するタイプのＵＣＩを伝送することを許容しないことを表す。
【００５１】
ここで、前記第１ＰＵＳＣＨ構成パラメータが前記第１組の構成パラメータにおける構成パラメータである場合、前記第１ＰＵＳＣＨ構成パラメータに基づいて、上り制御情報を伝送することは、前記端末が、前記第１ＰＵＳＣＨ構成パラメータにおける状態パラメータに基づいて、対応するタイプのＰＵＳＣＨで対応するタイプの上り制御情報を伝送するか又は対応するタイプのＰＵＳＣＨで対応するタイプの上り制御情報を伝送しないことを含む。
【００５２】
第２実施形態として、少なくとも１組のＰＵＳＣＨ構成パラメータは、第２組の構成パラメータを含んでもよく、前記第２組の構成パラメータは、前記ｕｃｉ−ＯｎＰＵＳＣＨパラメータに関する記述におけるｓｃａｌｉｎｇパラメータであってもよい。該パラメータは、第１タイプのＰＵＳＣＨにおいて第１タイプの上り制御情報のために割り当てられる最大ＲＥ値を表す。
【００５３】
第３実施形態として、少なくとも１組のＰＵＳＣＨ構成パラメータは、第３組の構成パラメータを含んでもよく、第３組の構成パラメータは、前記ｕｃｉ−ＯｎＰＵＳＣＨパラメータに関する記述におけるｂｅｔａ−ｏｆｆｓｅｔパラメータであってもよい。該ｂｅｔａ−ｏｆｆｓｅｔパラメータは、１つのタイプのＰＵＳＣＨによって搬送されるデータに対する１つのタイプのＵＣＩのベータオフセットを表すためのものである。ＰＵＳＣＨのスケジューリングのためのＤＣＩに、ｂｅｔａ−ｏｆｆｓｅｔ指示フィールドが含まれないと、上位層によって構成されたｂｅｔａ−ｏｆｆｓｅｔパラメータをＵＣＩのベータオフセット調整に用いることができる。ここで、ｂｅｔａ−ｏｆｆｓｅｔパラメータは、２ビット以下のＨＡＲＱ−ＡＣＫ、２ビットより大きくて１１ビット以下のＨＡＲＱ−ＡＣＫ、１１ビットより大きいＨＡＲＱ−ＡＣＫ、１１ビット以下のＣＳＩ  ｐａｒｔ  １／ＣＳＩ  ｐａｒｔ  ２及び１１ビットより大きいＣＳＩ  ｐａｒｔ  １／ＣＳＩ  ｐａｒｔ  ２というタイプのｂｅｔａ−ｏｆｆｓｅｔに対応する。
【００５４】
一実施形態として、半静的方式でベータオフセットを決定する場合、前記ベータオフセットパラメータに含まれる各指示パラメータはいずれも、ＰＵＳＣＨタイプ及び／又は上り制御情報タイプに対応する複数種のベータオフセットを含む。前記ベータオフセットパラメータに含まれる指示パラメータは、２ビット以下のＨＡＲＱ−ＡＣＫのベータオフセット、２ビットより大きくて１１ビット以下のＨＡＲＱ−ＡＣＫのベータオフセット、１１ビットより大きいＨＡＲＱ−ＡＣＫのベータオフセット、１１ビット以下のＣＳＩ  ｐａｒｔ  １／ＣＳＩ  ｐａｒｔ  ２のベータオフセット及び１１ビットより大きいＣＳＩ  ｐａｒｔ  １／ＣＳＩ  ｐａｒｔ  ２のベータオフセットを含む。
【００５５】
もう１つの実施形態として、動的方式でベータオフセットを決定する場合、前記第１組の構成パラメータにより構成される動的ベータオフセットパラメータは、ＰＵＳＣＨタイプ及び／又は上り制御情報タイプに対応する複数種のベータオフセットを含む。
【００５６】
本実施例において、端末が符号化とレートとのマッチングを行う場合、ＵＣＩのために予約されたＲＥでＡＣＫ／ＮＡＣＫ、ＣＳＩ  ｐａｒｔ  １、ＣＳＩ  ｐａｒｔ  ２の順番に応じてマッピングを行い、残りのリソースでデータをマッピングする。
【００５７】
第４実施形態として、少なくとも１組のＰＵＳＣＨ構成パラメータは、第４組の構成パラメータを含んでもよく、該第４組の構成パラメータは、異なるタイプのＰＵＳＣＨで伝送され得る上り制御情報の種類及び／又はペイロードサイズを含む。
【００５８】
一実施形態として、ＰＵＳＣＨで伝送され得る第１タイプの上り制御情報の種類は、ＨＡＲＱ−ＡＣＫ／ＮＡＣＫ、ＣＳＩ  ｐａｒｔ  １、ＣＳＩ  ｐａｒｔ  ２のうちの０種又は少なくとも１種を含み、前記第１タイプの上り制御情報は、上り制御情報のタイプのうちのいずれか１つのタイプである。
【００５９】
ここで、異なるタイプのＰＵＳＣＨで伝送され得る第１タイプの上り制御情報集合に含まれる上り制御情報の種類は異なる。
【００６０】
一実施形態として、異なるタイプのＰＵＳＣＨで伝送され得る第１タイプの上り制御情報集合に含まれる上り制御情報の種類は異なる。
【００６１】
一実施形態として、異なるタイプのＰＵＳＣＨで伝送され得る第１タイプの上り制御情報の各種のペイロードサイズは異なり、前記第１タイプの上り制御情報は、上り制御情報のタイプのうちのいずれか１つのタイプである。
【００６２】
本願の実施例の技術的解決手段によれば、異なるＰＵＳＣＨのタイプ及び／又は上り制御情報のタイプに対応する異なるＰＵＳＣＨ構成パラメータにより、特に、異なるサービスタイプ、異なるサービス優先度、異なる論理チャネル、異なるＤＣＩ  ｆｏｒｍａｔ、ＰＵＳＣＨのスケジューリングのための物理層下り制御情報をスクランブリングする異なるＲＮＴＩ、異なる下り制御情報によって搬送される情報に対して、端末は、ＰＵＳＣＨのタイプ及び／又は上り制御情報のタイプに対応するＰＵＳＣＨ構成パラメータに基づいて、上り制御情報を伝送する。従って、異なるサービス伝送の信頼性要件に適応することができる。
【００６３】
以下、具体的な例を参照しながら、本願の実施例の上り制御情報の伝送方法を説明する。
【００６４】
例１（第１組の構成パラメータに対応する）
基地局は、上位層シグナリングを介して端末のために２セットのｕｃｉ−ＯｎＰＵＳＣＨパラメータ及び対応する状態｛ｄｉｓａｂｌｅ，ｅｎａｂｌｅ｝を構成する。ｅｎａｂｌｅは、対応するタイプのＰＵＳＣＨが、対応するタイプのＵＣＩをＰＵＳＣＨで伝送することを許容することを表す。ｄｉｓａｂｌｅは、対応するタイプのＰＵＳＣＨが、対応するタイプのＵＣＩをＰＵＳＣＨで伝送することを許容しないことを表す。２セットのｕｃｉ−ＯｎＰＵＳＣＨパラメータはそれぞれ、ＰＵＳＣＨのスケジューリングのためのＤＣＩをスクランブリングするためのｎｅｗ  ＲＮＴＩ及びＰＵＳＣＨのスケジューリングのためのＤＣＩをスクランブリングするための他のＲＮＴＩに対応する。
【００６５】
端末は、他のＲＮＴＩによってスクランブリングされたＤＣＩを受信した場合、該他のＲＮＴＩによってスクランブリングされたＤＣＩに対応する状態は、ｅｎａｂｌｅである。該他のＲＮＴＩによってスクランブリングされたＤＣＩによりスケジューリングされるＰＵＳＣＨがスロット（ｓｌｏｔ）ｎで伝送する場合、該ＰＵＳＣＨリソースがＵＣＩを伝送するＰＵＣＣＨリソースとオーバーラップしており、且つ処理時間が規定に合致すると、端末は、ＵＣＩをＰＵＳＣＨに多重化して伝送する。なお、端末は、ｎｅｗ  ＲＮＴＩによってスクランブリングされたＤＣＩを受信した場合、該ｎｅｗ  ＲＮＴＩによってスクランブリングされたＤＣＩによりスケジューリングされるＰＵＳＣＨでＵＣＩを伝送しない。
【００６６】
例２（第１組の構成パラメータに対応する）
基地局は、上位層シグナリングを介して端末のために４セットのｕｃｉ−ＯｎＰＵＳＣＨパラメータ及び対応する状態｛ｄｉｓａｂｌｅ，ｄｉｓａｂｌｅ，ｅｎａｂｌｅ，ｅｎａｂｌｅ｝を構成する。ＰＵＳＣＨは、２つのタイプに分けられる。該２つのタイプはそれぞれ、ＰＵＳＣＨタイプ１及びＰＵＳＣＨタイプ２である。上記２つのＰＵＳＣＨタイプはそれぞれ、ＰＵＳＣＨのスケジューリングのためのＤＣＩをスクランブリングするためのｎｅｗ  ＲＮＴＩ及びＰＵＳＣＨのスケジューリングのためのＤＣＩをスクランブリングするための他のＲＮＴＩに対応する。ＵＣＩタイプ１及びＵＣＩタイプ２はそれぞれ、ＰＤＳＣＨタイプ１に対応するＵＣＩ及びＰＤＳＣＨタイプ２に対応するＵＣＩに対応する。上記ＰＵＳＣＨタイプ及びＵＣＩタイプはそれぞれ、｛  ＰＵＳＣＨタイプ１，ＵＣＩタイプ１｝、｛  ＰＵＳＣＨタイプ１，ＵＣＩタイプ２｝、｛  ＰＵＳＣＨタイプ２，ＵＣＩタイプ１｝、｛  ＰＵＳＣＨタイプ２，ＵＣＩタイプ２｝という４つのケースを含む。それらはそれぞれ上記４つの状態に対応する。
【００６７】
端末は、ｎｅｗ  ＲＮＴＩによってスクランブリングされたＤＣＩを受信した場合、該ｎｅｗ  ＲＮＴＩによってスクランブリングされたＤＣＩに対応する状態はいずれもｄｉｓａｂｌｅである。従って、該ｎｅｗ  ＲＮＴＩによってスクランブリングされたＤＣＩによりスケジューリングされるＰＵＳＣＨがｓｌｏｔ  ｎで伝送する場合、ＵＣＩタイプ１及びＵＣＩタイプ２のＵＣＩをＰＵＳＣＨに多重化して伝送することを許容しない。端末は、他のＲＮＴＩによってスクランブリングされたＤＣＩを受信していない場合、該他のＲＮＴＩによってスクランブリングされたＤＣＩに対応する状態はいずれもｅｎａｂｌｅである。該他のＲＮＴＩによってスクランブリングされたＤＣＩによりスケジューリングされるＰＵＳＣＨがｓｌｏｔ  ｎで伝送する場合、該ＰＵＳＣＨリソースがＵＣＩを伝送するＰＵＣＣＨリソースとオーバーラップしており、且つ処理時間が規定に合致すると、端末は、ＵＣＩタイプ１又はＵＣＩタイプ２のＵＣＩをＰＵＳＣＨに多重化して伝送することができる。
【００６８】
例３（第２組の構成パラメータに対応する）
基地局は、上位層シグナリングを介して端末のために、それぞれ｛０．５，０．８｝である２セットのｓｃａｌｉｎｇパラメータを構成する。２セットのｓｃａｌｉｎｇパラメータはそれぞれ、ＰＵＳＣＨのスケジューリングのためのＤＣＩをスクランブリングするためのｎｅｗ  ＲＮＴＩ及びＰＵＳＣＨのスケジューリングのためのＤＣＩをスクランブリングするためのＲＮＴＩに対応する。端末は、ｎｅｗ  ＲＮＴＩによってスクランブリングされたＤＣＩを受信した場合、該ｎｅｗ  ＲＮＴＩによってスクランブリングされたＤＣＩに対応するｓｃａｌｉｎｇパラメータは、０．５である。従って、該ｎｅｗ  ＲＮＴＩによってスクランブリングされたＤＣＩによりスケジューリングされるＰＵＳＣＨがｓｌｏｔ  ｎで伝送する場合、ＵＣＩのために割り当てられる最大ＲＥ数は、
【数１】
2021532693.tif 000005
である。
【００６９】
端末は、他のＲＮＴＩによってスクランブリングされたＤＣＩを受信した場合、該他のＲＮＴＩによってスクランブリングされたＤＣＩに対応するｓｃａｌｉｎｇパラメータは、０．８である。従って、該他のＲＮＴＩによってスクランブリングされたＤＣＩによりスケジューリングされるＰＵＳＣＨがｓｌｏｔ  ｎで伝送する場合、ＵＣＩのために割り当てられる最大ＲＥ数は、
【数２】
2021532693.tif 000006
である。ただし、
【数３】
2021532693.tif 000007
は、直交周波数分割多重化（ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボル１でＵＣＩ伝送に用いられるＲＥ数を表す。
【００７０】
例４（第２組の構成パラメータに対応する）
ＰＵＳＣＨは、ＰＵＳＣＨタイプ１とＰＵＳＣＨタイプ２という２つのタイプに分けられる。ＰＵＳＣＨタイプ１及びＰＵＳＣＨタイプ２はそれぞれ、ＰＵＳＣＨのスケジューリングのためのＤＣＩをスクランブリングするためのｎｅｗ  ＲＮＴＩ及びＰＵＳＣＨのスケジューリングのためのＤＣＩをスクランブリングするための他のＲＮＴＩに対応する。ＵＣＩは、ＵＣＩタイプ１とＵＣＩタイプ２という２つのタイプに分けられる。ＵＣＩタイプ１及びＵＣＩタイプ２はそれぞれ、ｎｅｗ  ＲＮＴＩによってスクランブリングされたＤＣＩによりスケジューリングされたＰＤＳＣＨに対応するＵＣＩ及び他のＲＮＴＩによってスクランブリングされたＤＣＩによりスケジューリングされたＰＤＳＣＨに対応するＵＣＩに対応する。
【００７１】
基地局は、上位層シグナリングを介して端末のために、それぞれ｛０．５，  ０．５，０．８，０．８｝である４セットのｓｃａｌｉｎｇパラメータを構成する。これらはそれぞれ、｛ＰＵＳＣＨタイプ１，ＵＣＩタイプ１｝、｛ＰＵＳＣＨタイプ１，ＵＣＩタイプ２｝、｛ＰＵＳＣＨタイプ２，ＵＣＩタイプ１｝、｛ＰＵＳＣＨタイプ２，ＵＣＩタイプ２｝に対応する。端末は、ｎｅｗ  ＲＮＴＩによってスクランブリングされたＤＣＩを受信した場合、該ｎｅｗ  ＲＮＴＩによってスクランブリングされたＤＣＩに対応するｓｃａｌｉｎｇパラメータはいずれも０．５である。従って、該ｎｅｗ  ＲＮＴＩによってスクランブリングされたＤＣＩによりスケジューリングされるＰＵＳＣＨがｓｌｏｔ  ｎで伝送する場合、ＵＣＩタイプ１及びＵＣＩタイプ２のために割り当てられる最大ＲＥ数はいずれも
【数４】
2021532693.tif 000008
である。端末は、他のＲＮＴＩによってスクランブリングされたＤＣＩを受信した場合、該他のＲＮＴＩによってスクランブリングされたＤＣＩに対応するｓｃａｌｉｎｇパラメータは、いずれも０．８である。従って、該他のＲＮＴＩによってスクランブリングされたＤＣＩによりスケジューリングされるＰＵＳＣＨがｓｌｏｔ  ｎで伝送する場合、ＵＣＩタイプ１及びＵＣＩタイプ２のために割り当てられる最大ＲＥ数はいずれも
【数５】
2021532693.tif 000009
である。ただし、
【数６】
2021532693.tif 000010
は、ＯＦＤＭシンボル１でＵＣＩ伝送に用いられるＲＥ数を表す。
【００７２】
例５（第３組の構成パラメータに対応する）
本実施形態は、半静的方式でＢｅｔａＯｆｆｓｅｔの値を決定することに適用される。基地局は、上位層シグナリングを介してユーザのために複数セットのＢｅｔａＯｆｆｓｅｔｓパラメータを構成する。２ビット以下のＨＡＲＱ−ＡＣＫで２セットのパラメータを構成することを例として、例えば、ｂｅｔａＯｆｆｓｅｔＡＣＫ−Ｉｎｄｅｘ１は、それぞれＰＵＳＣＨのスケジューリングのためのＤＣＩをスクランブリングするためのｎｅｗ  ＲＮＴＩ及びＰＵＳＣＨのスケジューリングのためのＤＣＩをスクランブリングするための他のＲＮＴＩに対応する｛ｉｎｄｅｘ  １，ｉｎｄｅｘ  ３｝と構成される。ここで、ｉｎｄｅｘ  １及びｉｎｄｅｘ  ３はいずれもＴＳ  ３８．２１３  ｔａｂｌｅ  ９．３−１における所定値である。
【００７３】
端末は、ｎｅｗ  ＲＮＴＩによってスクランブリングされたＤＣＩを受信した場合、該ｎｅｗ  ＲＮＴＩによってスクランブリングされたＤＣＩに対応するＢｅｔａＯｆｆｓｅｔｓの値は、ｉｎｄｅｘ  １である。従って、該ｎｅｗ  ＲＮＴＩによってスクランブリングされたＤＣＩによりスケジューリングされるＰＵＳＣＨがｓｌｏｔ  ｎ及び２ビット以下のＨＡＲＱ−ＡＣＫで多重化される時、ＨＡＲＱ−ＡＣＫのｂｅｔａｏｆｆｓｅｔ値は、ｉｎｄｅｘ  １とする。端末は、他のＲＮＴＩによってスクランブリングされたＤＣＩを受信した場合、該他のＲＮＴＩによってスクランブリングされたＤＣＩに対応するＢｅｔａＯｆｆｓｅｔｓの値は、ｉｎｄｅｘ  ３である。従って、該他のＲＮＴＩによってスクランブリングされたＤＣＩによりスケジューリングされるＰＵＳＣＨがｓｌｏｔ  ｎ及び２ビット以下のＨＡＲＱ−ＡＣＫで多重化される時、ＨＡＲＱ−ＡＣＫのｂｅｔａｏｆｆｓｅｔ値は、ｉｎｄｅｘ  ３とする。
【００７４】
例６（第３組の構成パラメータに対応する）
ＰＵＳＣＨは、ＰＵＳＣＨタイプ１とＰＵＳＣＨタイプ２という２つのタイプに分けられる。ＰＵＳＣＨタイプ１及びＰＵＳＣＨタイプ２はそれぞれ、ＰＵＳＣＨのスケジューリングのためのＤＣＩをスクランブリングするためのｎｅｗ  ＲＮＴＩ及びＰＵＳＣＨのスケジューリングのためのＤＣＩをスクランブリングするための他のＲＮＴＩに対応する。ＵＣＩは、ＵＣＩタイプ１とＵＣＩタイプ２という２つのタイプに分けられる。ＵＣＩタイプ１及びＵＣＩタイプ２はそれぞれ、ｎｅｗ  ＲＮＴＩによってスクランブリングされたＤＣＩによりスケジューリングされたＰＤＳＣＨに対応するＵＣＩ及び他のＲＮＴＩによってスクランブリングされたＤＣＩによりスケジューリングされたＰＤＳＣＨに対応するＵＣＩに対応する。
【００７５】
本実施形態は、半静的方式でＢｅｔａＯｆｆｓｅｔの値を決定することに適用される。基地局は、上位層シグナリングを介して端末のために複数セットのＢｅｔａＯｆｆｓｅｔｓパラメータを構成する。２ビット以下のＨＡＲＱ−ＡＣＫを例とする。つまり、ｂｅｔａＯｆｆｓｅｔＡＣＫ−Ｉｎｄｅｘ１は、それぞれＰＵＳＣＨタイプ１，ＵＣＩタイプ１｝、｛ＰＵＳＣＨタイプ１，ＵＣＩタイプ２｝、｛ＰＵＳＣＨタイプ２，ＵＣＩタイプ１｝、｛ＰＵＳＣＨタイプ２，ＵＣＩタイプ２｝に対応する｛ｉｎｄｅｘ  １，ｉｎｄｅｘ１，ｉｎｄｅｘ  ３，ｉｎｄｅｘ  ３｝と構成される。ここで、ｉｎｄｅｘ  １及びｉｎｄｅｘ  ３はいずれもＴＳ  ３８．２１３  ｔａｂｌｅ  ９．３−１における所定値である。
【００７６】
端末は、ｎｅｗ  ＲＮＴＩによってスクランブリングされたＤＣＩを受信した場合、該ｎｅｗ  ＲＮＴＩによってスクランブリングされたＤＣＩはいずれもｉｎｄｅｘ１に対応する。従って、該ｎｅｗ  ＲＮＴＩによってスクランブリングされたＤＣＩによりスケジューリングされるＰＵＳＣＨがｓｌｏｔ  ｎ及びＵＣＩタイプ１又はＵＣＩタイプ２の２ビット以下のＨＡＲＱ−ＡＣＫで多重化される時、ＨＡＲＱ−ＡＣＫのＢｅｔａＯｆｆｓｅｔ値は、ｉｎｄｅｘ  １とする。端末は、他のＲＮＴＩによってスクランブリングされたＤＣＩを受信した場合、該他のＲＮＴＩによってスクランブリングされたＤＣＩはいずれもｉｎｄｅｘ  ３に対応する。従って、該他のＲＮＴＩによってスクランブリングされたＤＣＩによりスケジューリングされるＰＵＳＣＨがｓｌｏｔ  ｎ及びＵＣＩタイプ１又はＵＣＩタイプ２の２ビット以下のＨＡＲＱ−ＡＣＫで多重化される時、ＨＡＲＱ−ＡＣＫのＢｅｔａＯｆｆｓｅｔ値は、ｉｎｄｅｘ  ３とする。
【００７７】
例７（第４組の構成パラメータに対応する）
事前定義の方式又は基地局が上位層シグナリングにより構成する方式で、ｎｅｗ  ＲＮＴＩによってスクランブリングされたＤＣＩによりスケジューリングされるＰＵＳＣＨがＡＣＫ／ＮＡＣＫ及び１１ビット以下のＣＳＩ  ｐａｒｔ  １及びＣＳＩ  ｐａｒｔ  ２のみと多重化され得ることを規定する。他のＲＮＴＩによってスクランブリングされたＤＣＩによりスケジューリングされるＰＵＳＣＨとＵＣＩとの多重化は、従来の規格と一致する。つまり、ｐｏｌａｒ符号化を用いる時、ＡＣＫ／ＮＡＣＫ、ＣＳＩ  ｐａｒｔ  １及びＣＳＩ  ｐａｒｔ  ２の符号化された変調シンボル数は、それぞれ次式である。
【００７８】
【数７】
2021532693.tif 000011
【００７９】
【数８】
2021532693.tif 000012
【００８０】
【数９】
2021532693.tif 000013
【００８１】
例８（第４組の構成パラメータに対応する）
ＰＵＳＣＨは、ＰＵＳＣＨタイプ１とＰＵＳＣＨタイプ２という２つのタイプに分けられる。ＰＵＳＣＨタイプ１及びＰＵＳＣＨタイプ２はそれぞれ、ＰＵＳＣＨのスケジューリングのためのＤＣＩをスクランブリングするためのｎｅｗ  ＲＮＴＩ及びＰＵＳＣＨのスケジューリングのためのＤＣＩをスクランブリングするための他のＲＮＴＩに対応する。ＵＣＩは、ＵＣＩタイプ１とＵＣＩタイプ２という２つのタイプに分けられる。ＵＣＩタイプ１及びＵＣＩタイプ２はそれぞれ、ｎｅｗ  ＲＮＴＩによってスクランブリングされたＤＣＩによりスケジューリングされたＰＤＳＣＨに対応するＵＣＩ及び他のＲＮＴＩによってスクランブリングされたＤＣＩによりスケジューリングされたＰＤＳＣＨに対応するＵＣＩに対応する。
【００８２】
規格により定義する方式又は基地局が上位層シグナリングにより構成する方式で、ＰＵＳＣＨタイプ１がＵＣＩタイプ１及びＵＣＩタイプ２のＡＣＫ／ＮＡＣＫ及び１１ビット以下のＣＳＩ  ｐａｒｔ  １及びＣＳＩ  ｐａｒｔ  ２のみと多重化され得るが、ＰＵＳＣＨタイプ２がＵＣＩタイプ１及びＵＣＩタイプ２の各種及び各種のペイロードサイズ（Ｐａｙｌｏａｄ  Ｓｉｚｅ）と多重化され得ることを規定する。
【００８３】
本願の実施例において、スケジューリングに基づいたＵＲＬＬＣサービス伝送に対して、ＲＲＣにより構成されたパラメータｎｅｗ  ＲＮＴＩを導入する。該パラメータは、ＭＣＳ  ｔａｂｌｅの選択を指示するためのものである。つまり、ＲＲＣがｎｅｗ  ＲＮＴＩを構成した場合、ｎｅｗ  ＲＮＴＩによってスクランブリングされたＤＣＩを用いてデータをスケジューリングすると、ｎｅｗ  ６４ＱＡＭ  ＭＣＳ  ｔａｂｌｅを用いる。他の場合、従来のＵＥ  ｂｅｈａｖｉｏｒと一致する。つまり、従来の６４ＱＡＭ  ＭＣＳ  ｔａｂｌｅを用いる。
【００８４】
本願の実施例は、端末を更に提供する。図３は、本願の実施例による端末の構造を示す概略図である。図３に示すように、前記端末は、選択ユニット３１と、伝送ユニット３２と、を備え、
前記選択ユニット３１は、ＰＵＳＣＨのタイプ及び／又は上り制御情報のタイプに基づいて、対応する第１ＰＵＳＣＨ構成パラメータを選択するように構成され、異なるＰＵＳＣＨ構成パラメータは、異なるタイプのＰＵＳＣＨ及び／又は異なるタイプの上り制御情報に対応し、
前記伝送ユニット３２は、前記第１ＰＵＳＣＨ構成パラメータに基づいて上り制御情報を伝送するように構成される。
【００８５】
本実施例において、一実施形態として、前記伝送ユニット３２は、前記ネットワーク装置により構成された少なくとも１組のＰＵＳＣＨ構成パラメータを受信するように構成され、
又は図４に示すように、前記端末は、事前予約された方式で前記端末のために少なくとも１組のＰＵＳＣＨ構成パラメータを構成するように構成される第１構成ユニット３３を更に備える。
【００８６】
ここで、一例として、前記伝送ユニット３２は、前記ネットワーク装置により上位層シグナリングを介して構成された少なくとも１組のＰＵＳＣＨ構成パラメータを受信するように構成される。
【００８７】
本実施例において、前記ＰＵＳＣＨのタイプは、ＰＵＳＣＨによって搬送されるデータが、異なるサービスタイプ又は異なるサービスタイプグループに属すること、ＰＵＳＣＨによって搬送されるデータが、異なるサービス優先度又は異なるサービス優先度グループに属すること、ＰＵＳＣＨによって搬送されるデータが、異なる論理チャネル又は異なる論理チャネルグループに属すること、ＰＵＳＣＨのスケジューリングのための下り制御情報が、異なる物理層下り制御情報フォーマット（ＤＣＩ  ｆｏｒｍａｔ）又は異なるＤＣＩ  ｆｏｒｍａｔグループに属すること、ＰＵＳＣＨのスケジューリングのための物理層下り制御情報をスクランブリングするためのＲＮＴＩが、異なるＲＮＴＩであるか又は異なるＲＮＴＩグループに属すること、ＰＵＳＣＨのスケジューリングのための下り制御情報によって搬送される情報が異なることのうちの１つを含む。
【００８８】
本実施例において、前記上り制御情報のタイプは、少なくとも１つの物理下り共有チャネル（ＰＤＳＣＨ）のタイプに対応する。
【００８９】
ここで、前記ＰＤＳＣＨのタイプは、ＰＤＳＣＨによって搬送されるデータが、異なるサービスタイプ又は異なるサービスタイプグループに属すること、ＰＤＳＣＨによって搬送されるデータが、異なるサービス優先度又は異なるサービス優先度グループに属すること、ＰＤＳＣＨによって搬送されるデータが、異なる論理チャネル又は異なる論理チャネルグループに属すること、ＰＤＳＣＨのスケジューリングのための下り制御情報が、異なるＤＣＩ  ｆｏｒｍａｔ又は異なるＤＣＩ  ｆｏｒｍａｔグループに属すること、ＰＤＳＣＨのスケジューリングのための物理層下り制御情報をスクランブリングするためのＲＮＴＩが、異なるＲＮＴＩであるか又は異なるＲＮＴＩグループに属すること、ＰＤＳＣＨのスケジューリングのための下り制御情報によって搬送される情報が異なることのうちの１つを含む。
【００９０】
本実施例において、前記上り制御情報の種類は、ハイブリッド自動再送要求確認応答／否定応答（ＨＡＲＱ−ＡＣＫ／ＮＡＣＫ）、第１部分チャネル状態情報（ＣＳＩ  ｐａｒｔ  １）及び第２部分チャネル状態情報（ＣＳＩ  ｐａｒｔ  ２）を含む。
【００９１】
本実施例において、前記少なくとも１組のＰＵＳＣＨ構成パラメータは、
異なるタイプのＰＵＳＣＨ及び／又は異なるタイプの上り制御情報に対応する状態パラメータを含む第１組の構成パラメータであって、前記状態パラメータは、第１タイプのＰＵＳＣＨで第１タイプの上り制御情報を伝送することを許容するかどうかを表す、第１組の構成パラメータと、
異なるタイプのＰＵＳＣＨ及び／又は異なるタイプの上り制御情報に対応するｓｃａｌｉｎｇパラメータを含む第２組の構成パラメータであって、前記ｓｃａｌｉｎｇパラメータは、第１タイプのＰＵＳＣＨにおいて第１タイプの上り制御情報のために割り当てられる最大ＲＥ数を制限するためのものである、第２組の構成パラメータと、
異なるタイプのＰＵＳＣＨ及び／又は異なるタイプの上り制御情報に対応するベータオフセットパラメータを含む第３組の構成パラメータであって、前記ベータオフセットパラメータは、第１タイプのＰＵＳＣＨによって搬送されるデータに対する第１タイプの上り制御情報のベータオフセットを指示するものである、第３組の構成パラメータと、
異なるタイプのＰＵＳＣＨで伝送され得る上り制御情報の種類及び／又はペイロードサイズを含む第４組の構成パラメータと、のうちの少なくとも１つを含み、
前記第１タイプのＰＵＳＣＨは、ＰＵＳＣＨのタイプのうちのいずれか１つのタイプであり、前記第１タイプの上り制御情報は、上り制御情報のタイプのうちのいずれか１つのタイプである。
【００９２】
一実施形態として、前記伝送ユニット３２は、前記第１ＰＵＳＣＨ構成パラメータが前記第１組の構成パラメータにおける構成パラメータである場合、前記第１ＰＵＳＣＨ構成パラメータにおける状態パラメータに基づいて、対応するタイプのＰＵＳＣＨで対応するタイプの上り制御情報を伝送するか又は対応するタイプのＰＵＳＣＨで対応するタイプの上り制御情報を伝送しないように構成される。
【００９３】
一実施形態として、ＰＵＳＣＨで伝送され得る第１タイプの上り制御情報の種類は、ＨＡＲＱ−ＡＣＫ／ＮＡＣＫ、ＣＳＩ  ｐａｒｔ  １、ＣＳＩ  ｐａｒｔ  ２のうちの０種又は少なくとも１種を含み、前記第１タイプの上り制御情報は、上り制御情報のタイプのうちのいずれか１つのタイプである。
【００９４】
一実施形態として、異なるタイプのＰＵＳＣＨで伝送され得る第１タイプの上り制御情報集合に含まれる上り制御情報の種類は異なる。
【００９５】
一実施形態として、異なるタイプのＰＵＳＣＨで伝送され得る第１タイプの上り制御情報の各種のペイロードサイズは異なり、前記第１タイプの上り制御情報は、上り制御情報のタイプのうちのいずれか１つのタイプである。
【００９６】
一実施形態として、半静的方式でベータオフセットを決定する場合、前記ベータオフセットパラメータに含まれる各指示パラメータはいずれも、ＰＵＳＣＨタイプ及び／又は上り制御情報タイプに対応する複数種のベータオフセットを含む。前記ベータオフセットパラメータに含まれる指示パラメータは、２ビット以下のＨＡＲＱ−ＡＣＫのベータオフセット、２ビットより大きくて１１ビット以下のＨＡＲＱ−ＡＣＫのベータオフセット、１１ビットより大きいＨＡＲＱ−ＡＣＫのベータオフセット、１１ビット以下のＣＳＩ  ｐａｒｔ  １／ＣＳＩ  ｐａｒｔ  ２のベータオフセット及び１１ビットより大きいＣＳＩ  ｐａｒｔ  １／ＣＳＩ  ｐａｒｔ  ２のベータオフセットを含む。
【００９７】
一実施形態として、動的方式でベータオフセットを決定する場合、前記第１組の構成パラメータにより構成される動的ベータオフセットパラメータは、ＰＵＳＣＨタイプ及び／又は上り制御情報タイプに対応する複数種のベータオフセットを含む。
【００９８】
本願の実施例において、前記端末における選択ユニット３１及び第１構成ユニット３３は、実際の適用においていずれも前記端末における中央演算処理装置（ＣＰＵ：Ｃｅｎｔｒａｌ  Ｐｒｏｃｅｓｓｉｎｇ  Ｕｎｉｔ）、デジタル信号プロセッサ（ＤＳＰ：Ｄｉｇｉｔａｌ  Ｓｉｇｎａｌ  Ｐｒｏｃｅｓｓｏｒ）、マイクロ制御ユニット（ＭＣＵ：Ｍｉｃｒｏｃｏｎｔｒｏｌｌｅｒ  Ｕｎｉｔ）又は現場でプログラム可能なゲートアレイ（ＦＰＧＡ：Ｆｉｅｌｄ−Ｐｒｏｇｒａｍｍａｂｌｅ  Ｇａｔｅ  Ａｒｒａｙ）で実現されてもよい。前記端末における伝送ユニット３２は、実際の適用において通信モジュール（インフラ通信ユニット、オペレーティングシステム、通信モジュール、標準化されたインタフェース及びプロトコル等を含む）及び送受信アンテナにより実現される。
【００９９】
本願の実施例は、端末を更に提供する。前記端末は、メモリと、プロセッサと、メモリに記憶され、プロセッサで実行可能なコンピュータプログラムと、を含み、前記プロセッサは、前記コンピュータプログラムを実行するときに、本願の前記実施例に記載の端末に適用される上り制御情報の伝送方法のステップを実現する。
【０１００】
上記実施例が提供する端末は上り制御情報伝送を行う場合、上記分割された各プログラムモジュールを例として説明し、実際の適用において、必要に応じて異なるプログラムモジュールで上記処理を行うことができ、即ち端末の内部構成を異なるプログラムモジュールに分割することで、上記説明した全て又は一部の処理を完了することに留意されたい。なお、上記実施例が提供する端末と上り制御情報の伝送方法の実施例は同一の構想に属し、その具体的な実現過程について方法実施例を参照して、ここでは詳細な説明を省略する。
【０１０１】
本願の実施例は、ネットワーク装置を更に提供する。図５は、本願の実施例によるネットワーク装置の構造を示す概略図である。図５に示すように、前記ネットワーク装置は、第２構成ユニット４１と、送信ユニット４２と、を備え、
前記第２構成ユニット４１は、端末のために少なくとも１組のＰＵＳＣＨ構成パラメータを構成するように構成され、異なるＰＵＳＣＨ構成パラメータは、異なるタイプのＰＵＳＣＨ及び／又は異なるタイプの上り制御情報に対応し、
前記送信ユニット４２は、前記端末に前記少なくとも１組のＰＵＳＣＨ構成パラメータを送信するように構成される。
【０１０２】
一実施形態として、前記送信ユニット４２は、上位層シグナリングを介して前記端末に前記少なくとも１組のＰＵＳＣＨ構成パラメータを送信するように構成される。
【０１０３】
本実施例において、前記ＰＵＳＣＨのタイプは、ＰＵＳＣＨによって搬送されるデータが、異なるサービスタイプ又は異なるサービスタイプグループに属すること、ＰＵＳＣＨによって搬送されるデータが、異なるサービス優先度又は異なるサービス優先度グループに属すること、ＰＵＳＣＨによって搬送されるデータが、異なる論理チャネル又は異なる論理チャネルグループに属すること、ＰＵＳＣＨのスケジューリングのための下り制御情報が、異なる物理層下り制御情報フォーマット（ＤＣＩ  ｆｏｒｍａｔ）又は異なるＤＣＩ  ｆｏｒｍａｔグループに属すること、ＰＵＳＣＨのスケジューリングのための物理層下り制御情報をスクランブリングするためのＲＮＴＩが、異なるＲＮＴＩであるか又は異なるＲＮＴＩグループに属すること、ＰＵＳＣＨのスケジューリングのための下り制御情報によって搬送される情報が異なることのうちの１つを含む。
【０１０４】
本実施例において、前記上り制御情報のタイプは、少なくとも１つのＰＤＳＣＨのタイプに対応する。
【０１０５】
ここで、前記ＰＤＳＣＨのタイプは、ＰＤＳＣＨによって搬送されるデータが、異なるサービスタイプ又は異なるサービスタイプグループに属すること、ＰＤＳＣＨによって搬送されるデータが、異なるサービス優先度又は異なるサービス優先度グループに属すること、ＰＤＳＣＨによって搬送されるデータが、異なる論理チャネル又は異なる論理チャネルグループに属すること、ＰＤＳＣＨのスケジューリングのための下り制御情報が、異なるＤＣＩ  ｆｏｒｍａｔ又は異なるＤＣＩ  ｆｏｒｍａｔグループに属すること、ＰＤＳＣＨのスケジューリングのための物理層下り制御情報をスクランブリングするためのＲＮＴＩが、異なるＲＮＴＩであるか又は異なるＲＮＴＩグループに属すること、ＰＤＳＣＨのスケジューリングのための下り制御情報によって搬送される情報が異なることのうちの１つを含む。
【０１０６】
本実施例において、前記上り制御情報の種類は、ＨＡＲＱ−ＡＣＫ／ＮＡＣＫ、ＣＳＩ  ｐａｒｔ  １及びＣＳＩ  ｐａｒｔ  ２を含む。
【０１０７】
本実施例において、前記少なくとも１組のＰＵＳＣＨ構成パラメータは、
異なるタイプのＰＵＳＣＨ及び／又は異なるタイプの上り制御情報に対応する状態パラメータを含む第１組の構成パラメータであって、前記状態パラメータは、第１タイプのＰＵＳＣＨで第１タイプの上り制御情報を伝送することを許容するかどうかを表す、第１組の構成パラメータと、
異なるタイプのＰＵＳＣＨ及び／又は異なるタイプの上り制御情報に対応するスケーリング（ｓｃａｌｉｎｇ）パラメータを含む第２組の構成パラメータであって、前記ｓｃａｌｉｎｇパラメータは、第１タイプのＰＵＳＣＨにおいて第１タイプの上り制御情報のために割り当てられる最大ＲＥ数を制限するためのものである、第２組の構成パラメータと、
異なるタイプのＰＵＳＣＨ及び／又は異なるタイプの上り制御情報に対応するベータオフセットパラメータを含む第３組の構成パラメータであって、前記ベータオフセットパラメータは、第１タイプのＰＵＳＣＨによって搬送されるデータに対する第１タイプの上り制御情報のベータオフセットを指示するものである、第３組の構成パラメータと、
異なるタイプのＰＵＳＣＨで伝送され得る上り制御情報の種類及び／又はペイロードサイズを含む第４組の構成パラメータと、のうちの少なくとも１つを含み、
前記第１タイプのＰＵＳＣＨは、ＰＵＳＣＨのタイプのうちのいずれか１つのタイプであり、前記第１タイプの上り制御情報は、上り制御情報のタイプのうちのいずれか１つのタイプである。
【０１０８】
一実施形態として、ＰＵＳＣＨで伝送され得る第１タイプの上り制御情報の種類は、ＨＡＲＱ−ＡＣＫ／ＮＡＣＫ、ＣＳＩ  ｐａｒｔ  １、ＣＳＩ  ｐａｒｔ  ２のうちの０種又は少なくとも１種を含み、前記第１タイプの上り制御情報は、上り制御情報のタイプのうちのいずれか１つのタイプである。
【０１０９】
一実施形態として、異なるタイプのＰＵＳＣＨで伝送され得る第１タイプの上り制御情報集合に含まれる上り制御情報の種類は異なる。
【０１１０】
一実施形態として、異なるタイプのＰＵＳＣＨで伝送され得る第１タイプの上り制御情報の各種のペイロードサイズは異なり、前記第１タイプの上り制御情報は、上り制御情報のタイプのうちのいずれか１つのタイプである。
【０１１１】
一実施形態として、半静的方式でベータオフセットを決定する場合、前記ベータオフセットパラメータに含まれる各指示パラメータはいずれも、ＰＵＳＣＨタイプ及び／又は上り制御情報タイプに対応する複数種のベータオフセットを含み、
前記ベータオフセットパラメータに含まれる指示パラメータは、２ビット以下のＨＡＲＱ−ＡＣＫのベータオフセット、２ビットより大きくて１１ビット以下のＨＡＲＱ−ＡＣＫのベータオフセット、１１ビットより大きいＨＡＲＱ−ＡＣＫのベータオフセット、１１ビット以下のＣＳＩ  ｐａｒｔ  １／ＣＳＩ  ｐａｒｔ  ２のベータオフセット及び１１ビットより大きいＣＳＩ  ｐａｒｔ  １／ＣＳＩ  ｐａｒｔ  ２のベータオフセットを含む。
【０１１２】
一実施形態として、動的方式でベータオフセットを決定する場合、前記第１組の構成パラメータにより構成される動的ベータオフセットパラメータは、ＰＵＳＣＨタイプ及び／又は上り制御情報タイプに対応する複数種のベータオフセットを含む。
【０１１３】
本願の実施例において、前記ネットワーク装置における第２構成ユニット４１は、実際の適用において前記ネットワーク装置におけるＣＰＵ、ＤＳＰ、ＭＣＵ又はＦＰＧＡで実現されてもよい。前記ネットワーク装置における送信ユニット４２は、実際の適用において通信モジュール（インフラ通信ユニット、オペレーティングシステム、通信モジュール、標準化されたインタフェース及びプロトコル等を含む）及び送受信アンテナにより実現される。
【０１１４】
本願の実施例は、ネットワーク装置を更に提供する。前記ネットワーク装置は、メモリと、プロセッサと、メモリに記憶され、プロセッサで実行可能なコンピュータプログラムと、を含み、前記プロセッサは、前記コンピュータプログラムを実行するときに、本願の前記実施例に記載のネットワーク装置に適用される上り制御情報の伝送方法のステップを実現する。
【０１１５】
上記実施例が提供するネットワーク装置は上り制御情報伝送を行う場合、上記分割された各プログラムモジュールを例として説明し、実際の適用において、必要に応じて異なるプログラムモジュールで上記処理を行うことができ、即ちネットワーク装置の内部構成を異なるプログラムモジュールに分割することで、上記説明した全て又は一部の処理を完了することに留意されたい。なお、上記実施例が提供するネットワーク装置と上り制御情報の伝送方法の実施例は同一の構想に属し、その具体的な実現過程について方法実施例を参照して、ここでは詳細な説明を省略する。
【０１１６】
理解すべき点として、本願の実施例におけるメモリは、揮発性メモリ又は不揮発性メモリであってもよく、揮発性メモリと不揮発性メモリの両方であってもよい。ここで、不揮発性メモリは、読み取り専用メモリ（ＲＯＭ：Ｒｅａｄ  Ｏｎｌｙ  Ｍｅｍｏｒｙ）、プログラマブル読み取り専用メモリ（ＰＲＯＭ：Ｐｒｏｇｒａｍｍａｂｌｅ  Ｒｅａｄ−Ｏｎｌｙ  Ｍｅｍｏｒｙ）、消去可能なプログラマブル読み取り専用メモリ（ＥＰＲＯＭ：Ｅｒａｓａｂｌｅ  Ｐｒｏｇｒａｍｍａｂｌｅ  Ｒｅａｄ−Ｏｎｌｙ  Ｍｅｍｏｒｙ）、電気的消去可能なプログラマブル読み取り専用メモリ（ＥＥＰＲＯＭ：Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、磁気ランダムアクセスメモリ（ＦＲＡＭ（登録商標）：ｆｅｒｒｏｍａｇｎｅｔｉｃ  ｒａｎｄｏｍ  ａｃｃｅｓｓ  ｍｅｍｏｒｙ）、フラッシュメモリ（Ｆｌａｓｈ  Ｍｅｍｏｒｙ）、磁気面メモリ、光ディスク、又は読み出し専用型光ディスク（ＣＤ−ＲＯＭ：Ｃｏｍｐａｃｔ  Ｄｉｓｃ  Ｒｅａｄ−Ｏｎｌｙ  Ｍｅｍｏｒｙ）であってもよい。磁気面メモリは、磁気ディスクメモリ又は磁気テープメモリであってもよい。揮発性メモリは、外部キャッシュとして用いられるランダムアクセスメモリ（ＲＡＭ：Ｒａｎｄｏｍ  Ａｃｃｅｓｓ  Ｍｅｍｏｒｙ）であってもよい。非限定的な例証として、ＲＡＭは、スタティックランダムアクセスメモリ（ＳＲＡＭ：Ｓｔａｔｉｃ  Ｒａｎｄｏｍ  Ａｃｃｅｓｓ  Ｍｅｍｏｒｙ）、同期スタティックランダムアクセスメモリ（ＳＳＲＡＭ：Ｓｙｎｃｈｒｏｎｏｕｓ  Ｓｔａｔｉｃ  Ｒａｎｄｏｍ  Ａｃｃｅｓｓ  Ｍｅｍｏｒｙ）、ダイナミックランダムアクセスメモリ（ＤＲＡＭ：Ｄｙｎａｍｉｃ  Ｒａｎｄｏｍ  Ａｃｃｅｓｓ  Ｍｅｍｏｒｙ）、同期ダイナミックランダムアクセスメモリ（ＳＤＲＡＭ：Ｓｙｎｃｈｒｏｎｏｕｓ  Ｄｙｎａｍｉｃ  Ｒａｎｄｏｍ  Ａｃｃｅｓｓ  Ｍｅｍｏｒｙ）、ダブルデータレート同期ダイナミックランダムアクセスメモリ（ＤＤＲＳＤＲＡＭ：Ｄｏｕｂｌｅ  Ｄａｔａ  Ｒａｔｅ  Ｓｙｎｃｈｒｏｎｏｕｓ  Ｄｙｎａｍｉｃ  Ｒａｎｄｏｍ  Ａｃｃｅｓｓ  Ｍｅｍｏｒｙ）、エンハンスト同期ダイナミックランダムアクセスメモリ（ＥＳＤＲＡＭ：Ｅｎｈａｎｃｅｄ  Ｓｙｎｃｈｒｏｎｏｕｓ  Ｄｙｎａｍｉｃ  Ｒａｎｄｏｍ  Ａｃｃｅｓｓ  Ｍｅｍｏｒｙ）、同期リンクダイナミックランダムアクセスメモリ（ＳＬＤＲＡＭ：Ｓｙｎｃｈｌｉｎｋ  Ｄｙｎａｍｉｃ  Ｒａｎｄｏｍ  Ａｃｃｅｓｓ  Ｍｅｍｏｒｙ）及びダイレクトラムバスランダムアクセスメモリ（ＤＲＲＡＭ：Ｄｉｒｅｃｔ  Ｒａｍｂｕｓ  Ｒａｎｄｏｍ  Ａｃｃｅｓｓ  Ｍｅｍｏｒｙ）などの多数の形態で使用可能である。本願の実施例に記載されているメモリは、これら及び任意の他の適切な形態のメモリを含むが、これらに限定されないことに留意されたい。
【０１１７】
上記本願の実施例に開示された方法はプロセッサに適用されるか、又はプロセッサにより実現される。プロセッサは、信号を処理する能力を有する集積回路チップであり得る。上記方法の各ステップは、実現する過程において、プロセッサにおけるハードウェアの集積論理回路又はソフトウェアの形の指令により完成することができる。上記プロセッサは、汎用プロセッサ、ＤＳＰ、又は他のプログラマブルロジックデバイス、ディスクリートゲート又はトランジスタロジックデバイス、ディスクリートハードウェアコンポーネント等であってもよい。プロセッサは、本願の実施例に開示されている各方法、ステップ及び論理的ブロック図を実現又は実行することができる。汎用プロセッサはマイクロプロセッサであってもよく、該プロセッサは如何なる従来のプロセッサ等であってもよい。本願の実施例に開示されている方法のステップに合わせて、ハードウェア解読プロセッサによって完成し、又は解読プロセッサ内のハードウェアとソフトウェアモジュールとの組み合わせで実行して完成するように示す。ソフトウェアモジュールは、記憶媒体内に存在してもよい。該記憶媒体は、メモリ内に位置し、プロセッサはメモリ中の情報を読み取り、そのハードウェアと共に上記方法のステップを完了する。
【０１１８】
本願の実施例は、コンピュータ可読記憶媒体を更に提供する。前記コンピュータ可読記憶媒体にはコンピュータプログラムが記憶されており、該コンピュータプログラムがプロセッサにより実行されるときに、プロセッサに本願の前記実施例に記載の端末に適用される上り制御情報の伝送方法のステップを実現させ、又は、該プログラムがプロセッサにより実行されるときに、プロセッサに本願の前記実施例に記載のネットワーク装置に適用される上り制御情報の伝送方法のステップを実現させる。
【０１１９】
本願で提供する幾つかの実施例で開示したシステム、装置及び方法は、他の方式によって実現できることを理解すべきである。例えば、以上に記載した装置の実施例はただ例示的なもので、例えば、前記ユニットの分割はただロジック機能の分割で、実際に実現する時は他の分割方式によってもよい。例えば、複数のユニット又は組立体を組み合わせてもよく、別のシステムに組み込んでもよい。又は若干の特徴を無視してもよく、実行しなくてもよい。また、示したか或いは検討した相互間の結合又は直接的な結合又は通信接続は、幾つかのインタフェース、装置又はユニットによる間接的な結合又は通信接続であってもよく、電気的、機械的または他の形態であってもよい。
【０１２０】
分離部材として説明した上記ユニットは、物理的に別個のものであってもよく、そうでなくてもよい。ユニットとして示された部材は、物理的ユニットであってもよく、そうでなくてもよい。即ち、同一の位置に位置してもよく、複数のネットワークに分布してもよい。実際の需要に応じてそのうちの一部又は全てのユニットにより本実施例の方策の目的を実現することができる。
【０１２１】
また、本願の各実施例における各機能ユニットは一つの処理ユニットに集積されてもよく、各ユニットが物理的に別個のものとして存在してもよく、２つ以上のユニットが一つのユニットに集積されてもよい。上記集積したユニットはハードウェアとして実現してもよく、ハードウェアとソフトウェア機能ユニットとを組み合わせて実現してもよい。
【０１２２】
上記各方法に係る実施例の全部又は一部のステップはプログラム命令に係るハードウェアにより実現され、前記プログラムはコンピュータ読み取り可能な記憶媒体に記憶され、該プログラムが実行される時、上記方法の実施例におけるステップを実行し、前記記憶媒体は、携帯型記憶装置、ＲＯＭ、ＲＡＭ、磁気ディスク又は光ディスクなど、プログラムコードを記憶可能な各種の媒体を含むことは、当業者であれば、理解すべきである。
【０１２３】
又は、本願の上記集積したユニットがソフトウェア機能ユニットの形で実現され、かつ独立した製品として販売または使用されるとき、コンピュータにより読み取り可能な記憶媒体内に記憶されてもよい。このような理解のもと、本願の技術的解決手段は、本質的に、又は、従来技術に対して貢献をもたらした部分又は該技術的解決手段の一部は、ソフトウェア製品の形式で具現することができ、このようなコンピュータソフトウェア製品は、記憶媒体に記憶しても良く、また、コンピュータ設備（パソコン、サーバ、又はネットワーク装置など）に、本願の各実施例に記載の方法の全部又は一部のステップを実行させるための若干の命令を含む。前記の記憶媒体は、携帯型記憶装置、ＲＯＭ、ＲＡＭ、磁気ディスク、又は光ディスクなど、プログラムコードを記憶可能な各種の媒体を含む。
【０１２４】
矛盾しない限り、本願が提供する幾つかの方法実施例に開示された方法を任意に組み合わせて、新たな方法実施例を得ることができる。
【０１２５】
矛盾しない限り、本願が提供する幾つかの製品実施例に開示された特徴を任意に組み合わせて、新たな製品実施例を得ることができる。
【０１２６】
矛盾しない限り、本願が提供する幾つかの方法又は装置実施例に開示された特徴を任意に組み合わせて、新たな方法実施例又は装置実施例を得ることができる。
【０１２７】
以上は本発明の具体的な実施形態に過ぎず、本願の保護の範囲はそれらに制限されるものではなく、当業者が本願に開示された技術範囲内で容易に想到しうる変更や置換はいずれも、本願の保護範囲内に含まれるべきである。従って、本願の保護範囲は特許請求の範囲の保護範囲を基準とするべきである。
【図１】
2021532693.tif 000014
【図２】
2021532693.tif 000015
【図３】
2021532693.tif 000016
【図４】
2021532693.tif 000017
【図５】
2021532693.tif 000018
【手続補正書】
【提出日】令和3年3月3日(2021.3.3)
【手続補正１】
【補正対象書類名】特許請求の範囲
【補正対象項目名】全文
【補正方法】変更
【補正の内容】
【特許請求の範囲】
【請求項１】
端末が物理上り共有チャネル（ＰＵＳＣＨ）のタイプ及び／又は上り制御情報のタイプに基づいて、対応する第１ＰＵＳＣＨ構成パラメータを選択することと、
前記端末が前記第１ＰＵＳＣＨ構成パラメータに基づいて上り制御情報を伝送することと、を含み、
異なるＰＵＳＣＨ構成パラメータは、異なるタイプのＰＵＳＣＨ及び／又は異なるタイプの上り制御情報に対応する、上り制御情報の伝送方法。
【請求項２】
前記端末が、ネットワーク装置により構成された少なくとも１組のＰＵＳＣＨ構成パラメータを受信すること、又は、
事前予約された方式で前記端末のために少なくとも１組のＰＵＳＣＨ構成パラメータを構成すること、を更に含むことを特徴とする
請求項１に記載の方法。
【請求項３】
前記端末が、前記ネットワーク装置により構成された少なくとも１組のＰＵＳＣＨ構成パラメータを受信することは、
前記端末が、前記ネットワーク装置により上位層シグナリングを介して構成された少なくとも１組のＰＵＳＣＨ構成パラメータを受信することを含むことを特徴とする
請求項２に記載の方法。
【請求項４】
前記ＰＵＳＣＨのタイプは、
ＰＵＳＣＨによって搬送されるデータが、異なるサービスタイプ又は異なるサービスタイプグループに属すること、
ＰＵＳＣＨによって搬送されるデータが、異なるサービス優先度又は異なるサービス優先度グループに属すること、
ＰＵＳＣＨによって搬送されるデータが、異なる論理チャネル又は異なる論理チャネルグループに属すること、
ＰＵＳＣＨのスケジューリングのための下り制御情報が、異なる物理層下り制御情報フォーマット（ＤＣＩ  ｆｏｒｍａｔ）又は異なるＤＣＩ  ｆｏｒｍａｔグループに属すること、
ＰＵＳＣＨのスケジューリングのための物理層下り制御情報をスクランブリングするための無線ネットワーク一時識別子（ＲＮＴＩ）が、異なるＲＮＴＩであるか又は異なるＲＮＴＩグループに属すること、
ＰＵＳＣＨのスケジューリングのための下り制御情報によって搬送される情報が異なることのうちの１つを含むことを特徴とする
請求項１から３のうちいずれか一項に記載の方法。
【請求項５】
前記上り制御情報のタイプは、物理下り共有チャネル（ＰＤＳＣＨ）をスケジューリングするために下り制御情報で搬送される少なくとも１つのタイプの情報に対応することを特徴とする
請求項１から３のうちいずれか一項に記載の方法。
【請求項６】
前記上り制御情報の種類は、ハイブリッド自動再送要求の確認応答／否定応答（ＨＡＲＱ−ＡＣＫ／ＮＡＣＫ）、第１部分チャネル状態情報（ＣＳＩ  ｐａｒｔ  １）及び第２部分チャネル状態情報（ＣＳＩ  ｐａｒｔ  ２）を含むことを特徴とする
請求項１から３のうちいずれか一項に記載の方法。
【請求項７】
前記少なくとも１組のＰＵＳＣＨ構成パラメータは、
異なるタイプのＰＵＳＣＨ及び／又は異なるタイプの上り制御情報に対応する状態パラメータを含む第１組の構成パラメータであって、前記状態パラメータは、第１タイプのＰＵＳＣＨで第１タイプの上り制御情報を伝送することを許容するかどうかを表す、第１組の構成パラメータと、
異なるタイプのＰＵＳＣＨ及び／又は異なるタイプの上り制御情報に対応するスケーリング（ｓｃａｌｉｎｇ）パラメータを含む第２組の構成パラメータであって、前記ｓｃａｌｉｎｇパラメータは、第１タイプのＰＵＳＣＨにおいて第１タイプの上り制御情報のために割り当てられる最大リソース要素ＲＥ数を制限するためのものである、第２組の構成パラメータと、
異なるタイプのＰＵＳＣＨ及び／又は異なるタイプの上り制御情報に対応するベータオフセットパラメータを含む第３組の構成パラメータであって、前記ベータオフセットパラメータは、第１タイプのＰＵＳＣＨによって搬送されるデータに対する第１タイプの上り制御情報のベータオフセットを指示するものである、第３組の構成パラメータと、
異なるタイプのＰＵＳＣＨで伝送され得る上り制御情報の種類及び／又はペイロードサイズを含む第４組の構成パラメータと、のうちの少なくとも１つを含み、
前記第１タイプのＰＵＳＣＨは、ＰＵＳＣＨのタイプのうちのいずれか１つのタイプであり、前記第１タイプの上り制御情報は、上り制御情報のタイプのうちのいずれか１つのタイプであることを特徴とする
請求項２又は３に記載の方法。
【請求項８】
ＰＵＳＣＨで伝送され得る第１タイプの上り制御情報の種類は、ＨＡＲＱ−ＡＣＫ／ＮＡＣＫ、ＣＳＩ  ｐａｒｔ  １、ＣＳＩ  ｐａｒｔ  ２のうちの０種又は少なくとも１種を含み、
前記第１タイプの上り制御情報は、上り制御情報のタイプのうちのいずれか１つのタイプであり、
異なるタイプのＰＵＳＣＨで伝送され得る第１タイプの上り制御情報集合に含まれる上り制御情報の種類は異なることを特徴とする
請求項７に記載の方法。
【請求項９】
半静的方式でベータオフセットを決定する場合、前記ベータオフセットパラメータに含まれる各指示パラメータはいずれも、ＰＵＳＣＨタイプ及び／又は上り制御情報タイプに対応する複数種のベータオフセットを含み、
前記ベータオフセットパラメータに含まれる指示パラメータは、２ビット以下のＨＡＲＱ−ＡＣＫのベータオフセット、２ビットより大きくて１１ビット以下のＨＡＲＱ−ＡＣＫのベータオフセット、１１ビットより大きいＨＡＲＱ−ＡＣＫのベータオフセット、１１ビット以下のＣＳＩ  ｐａｒｔ  １／ＣＳＩ  ｐａｒｔ  ２のベータオフセット及び１１ビットより大きいＣＳＩ  ｐａｒｔ  １／ＣＳＩ  ｐａｒｔ  ２のベータオフセットを含み、
又は、
動的方式でベータオフセットを決定する場合、前記第１組の構成パラメータにより構成される動的ベータオフセットパラメータは、ＰＵＳＣＨタイプ及び／又は上り制御情報タイプに対応する複数種のベータオフセットを含むことを特徴とする
請求項７に記載の方法。
【請求項１０】
ネットワーク装置が端末のために少なくとも１組の物理上り共有チャネル（ＰＵＳＣＨ）構成パラメータを構成することであって、異なるＰＵＳＣＨ構成パラメータは、異なるタイプのＰＵＳＣＨ及び／又は異なるタイプの上り制御情報に対応する、ことと、
前記ネットワーク装置が前記端末に前記少なくとも１組のＰＵＳＣＨ構成パラメータを送信することと、を含む、上り制御情報の伝送方法。
【請求項１１】
前記ネットワーク装置が前記端末に前記少なくとも１組のＰＵＳＣＨ構成パラメータを送信することは、
前記ネットワーク装置が上位層シグナリングを介して前記端末に前記少なくとも１組のＰＵＳＣＨ構成パラメータを送信することを含むことを特徴とする
請求項１０に記載の方法。
【請求項１２】
前記ＰＵＳＣＨのタイプは、
ＰＵＳＣＨによって搬送されるデータが、異なるサービスタイプ又は異なるサービスタイプグループに属すること、
ＰＵＳＣＨによって搬送されるデータが、異なるサービス優先度又は異なるサービス優先度グループに属すること、
ＰＵＳＣＨによって搬送されるデータが、異なる論理チャネル又は異なる論理チャネルグループに属すること、
ＰＵＳＣＨのスケジューリングのための下り制御情報が、異なる物理層下り制御情報フォーマット（ＤＣＩ  ｆｏｒｍａｔ）又は異なるＤＣＩ  ｆｏｒｍａｔグループに属すること、
ＰＵＳＣＨのスケジューリングのための物理層下り制御情報をスクランブリングするための無線ネットワーク一時識別子（ＲＮＴＩ）が、異なるＲＮＴＩであるか又は異なるＲＮＴＩグループに属すること、
ＰＵＳＣＨのスケジューリングのための下り制御情報によって搬送される情報が異なることのうちの１つを含むことを特徴とする
請求項１０又は１１に記載の方法。
【請求項１３】
前記上り制御情報のタイプは、物理下り共有チャネル（ＰＤＳＣＨ）をスケジューリングするために下り制御情報で搬送される少なくとも１つのタイプの情報に対応することを特徴とする
請求項１０又は１１に記載の方法。
【請求項１４】
前記少なくとも１組のＰＵＳＣＨ構成パラメータは、
異なるタイプのＰＵＳＣＨ及び／又は異なるタイプの上り制御情報に対応する状態パラメータを含む第１組の構成パラメータであって、前記状態パラメータは、第１タイプのＰＵＳＣＨで第１タイプの上り制御情報を伝送することを許容するかどうかを表す、第１組の構成パラメータと、
異なるタイプのＰＵＳＣＨ及び／又は異なるタイプの上り制御情報に対応するスケーリング（ｓｃａｌｉｎｇ）パラメータを含む第２組の構成パラメータであって、前記ｓｃａｌｉｎｇパラメータは、第１タイプのＰＵＳＣＨにおいて第１タイプの上り制御情報のために割り当てられる最大リソース要素ＲＥ数を制限するためのものである、第２組の構成パラメータと、
異なるタイプのＰＵＳＣＨ及び／又は異なるタイプの上り制御情報に対応するベータオフセットパラメータを含む第３組の構成パラメータであって、前記ベータオフセットパラメータは、第１タイプのＰＵＳＣＨによって搬送されるデータに対する第１タイプの上り制御情報のベータオフセットを指示するものである、第３組の構成パラメータと、
異なるタイプのＰＵＳＣＨで伝送され得る上り制御情報の種類及び／又はペイロードサイズを含む第４組の構成パラメータと、のうちの少なくとも１つを含み、
前記第１タイプのＰＵＳＣＨは、ＰＵＳＣＨのタイプのうちのいずれか１つのタイプであり、前記第１タイプの上り制御情報は、上り制御情報のタイプのうちのいずれか１つのタイプであることを特徴とする
請求項１０又は１１に記載の方法。
【請求項１５】
物理上り共有チャネル（ＰＵＳＣＨ）のタイプ及び／又は上り制御情報のタイプに基づいて、対応する第１ＰＵＳＣＨ構成パラメータを選択するように構成される選択ユニットであって、異なるＰＵＳＣＨ構成パラメータは、異なるタイプのＰＵＳＣＨ及び／又は異なるタイプの上り制御情報に対応する、選択ユニットと、
前記第１ＰＵＳＣＨ構成パラメータに基づいて上り制御情報を伝送するように構成される伝送ユニットと、備える、端末。
【請求項１６】
前記伝送ユニットは、前記ネットワーク装置により構成された少なくとも１組のＰＵＳＣＨ構成パラメータを受信するように構成され、
又は、前記端末は、事前予約された方式で前記端末のために少なくとも１組のＰＵＳＣＨ構成パラメータを構成するように構成される第１構成ユニットを更に備えることを特徴とする
請求項１５に記載の端末。
【請求項１７】
前記伝送ユニットは、前記ネットワーク装置により上位層シグナリングを介して構成された少なくとも１組のＰＵＳＣＨ構成パラメータを受信するように構成されることを特徴とする
請求項１６に記載の端末。
【請求項１８】
前記ＰＵＳＣＨのタイプは、
ＰＵＳＣＨによって搬送されるデータが、異なるサービスタイプ又は異なるサービスタイプグループに属すること、
ＰＵＳＣＨによって搬送されるデータが、異なるサービス優先度又は異なるサービス優先度グループに属すること、
ＰＵＳＣＨによって搬送されるデータが、異なる論理チャネル又は異なる論理チャネルグループに属すること、
ＰＵＳＣＨのスケジューリングのための下り制御情報が、異なる物理層下り制御情報フォーマット（ＤＣＩ  ｆｏｒｍａｔ）又は異なるＤＣＩ  ｆｏｒｍａｔグループに属すること、
ＰＵＳＣＨのスケジューリングのための物理層下り制御情報をスクランブリングするための無線ネットワーク一時識別子（ＲＮＴＩ）が、異なるＲＮＴＩであるか又は異なるＲＮＴＩグループに属すること、
ＰＵＳＣＨのスケジューリングのための下り制御情報によって搬送される情報が異なることのうちの１つを含むことを特徴とする
請求項１５から１７のうちいずれか一項に記載の端末。
【請求項１９】
前記上り制御情報のタイプは、物理下り共有チャネル（ＰＤＳＣＨ）をスケジューリングするために下り制御情報で搬送される少なくとも１つのタイプの情報に対応することを特徴とする
請求項１５から１７のうちいずれか一項に記載の端末。
【請求項２０】
前記少なくとも１組のＰＵＳＣＨ構成パラメータは、
異なるタイプのＰＵＳＣＨ及び／又は異なるタイプの上り制御情報に対応する状態パラメータを含む第１組の構成パラメータであって、前記状態パラメータは、第１タイプのＰＵＳＣＨで第１タイプの上り制御情報を伝送することを許容するかどうかを表す、第１組の構成パラメータと、
異なるタイプのＰＵＳＣＨ及び／又は異なるタイプの上り制御情報に対応するスケーリング（ｓｃａｌｉｎｇ）パラメータを含む第２組の構成パラメータであって、前記ｓｃａｌｉｎｇパラメータは、第１タイプのＰＵＳＣＨにおいて第１タイプの上り制御情報のために割り当てられる最大リソース要素ＲＥ数を制限するためのものである、第２組の構成パラメータと、
異なるタイプのＰＵＳＣＨ及び／又は異なるタイプの上り制御情報に対応するベータオフセットパラメータを含む第３組の構成パラメータであって、前記ベータオフセットパラメータは、第１タイプのＰＵＳＣＨによって搬送されるデータに対する第１タイプの上り制御情報のベータオフセットを指示するものである、第３組の構成パラメータと、
異なるタイプのＰＵＳＣＨで伝送され得る上り制御情報の種類及び／又はペイロードサイズを含む第４組の構成パラメータと、のうちの少なくとも１つを含み、
前記第１タイプのＰＵＳＣＨは、ＰＵＳＣＨのタイプのうちのいずれか１つのタイプであり、前記第１タイプの上り制御情報は、上り制御情報のタイプのうちのいずれか１つのタイプであることを特徴とする
請求項１６又は１７に記載の端末。
【国際調査報告】
2021532693.tif 000019
2021532693.tif 000020
2021532693.tif 000021
2021532693.tif 000022